(57)【要約】  検知ポインタ表示制御部（１１）は、検知ポインタ（ＰＴ）をディスプレイ（１９）に表示させる。不感領域表示制御部（１３）は、コンテンツに対する処理を開始又は終了させる不感領域（ＡＲ）をディスプレイ（１９）に表示させる。アプリケーション（１７）は、不感領域（ＡＲ）に対する検知ポインタ（ＰＴ）の相対的な位置に応じて、コンテンツに対する処理の開始又は終了を制御する。不感領域表示制御部（１３）は、検知ポインタ（ＰＴ）が不感領域（ＡＲ）を超えて表示された場合に、コンテンツに対する処理をアプリケーション（１７）に開始させるとともに、検知ポインタ（ＰＴ）が不感領域（ＡＲ）を超えた方向に不感領域（ＡＲ）の一部の形状を変形させる。
2015072150.tif 000002
【特許請求の範囲】
【請求項１】
コンテンツを表示する表示部と、
所定の指示媒体を前記表示部に表示させる第１の表示制御部と、
前記コンテンツに対する処理を開始又は終了させるための所定領域を前記表示部に表示させる第２の表示制御部と、
前記所定領域に対する前記指示媒体の相対的な位置に応じて、前記コンテンツに対する処理の開始又は終了を制御する動作実行部と、を備え、
前記第２の表示制御部は、前記指示媒体が前記所定領域を超えて表示された場合に、前記指示媒体が前記所定領域を超えた方向に前記所定領域の一部の形状を変形させるとともに、前記コンテンツに対する処理を前記動作実行部に開始させる、
情報表示装置。
【請求項２】
請求項１に記載の情報表示装置であって、
前記指示媒体が前記所定領域内に戻って表示された場合、又は前記指示媒体が非表示された場合に、
前記第２の表示制御部は、前記所定領域の形状を初期化する、
情報表示装置。
【請求項３】
請求項１に記載の情報表示装置であって、
所定時間以上にわたって前記所定領域の一部の形状が変形した場合に、前記所定領域の一部の形状が変形した方向に、前記表示部に表示されたコンテンツのスクロールを開始させるスクロール制御部、を更に備える、
情報表示装置。
【請求項４】
請求項３に記載の情報表示装置であって、
前記指示媒体が前記所定領域内に戻って表示された場合、又は前記指示媒体が非表示された場合に、
前記スクロール制御部は、前記スクロールを終了させ、
前記第２の表示制御部は、前記所定領域の形状を初期化する、
情報表示装置。
【請求項５】
請求項４に記載の情報表示装置であって、
前記表示部は、コンテンツの選択画面を表示し、
前記スクロール制御部は、前記スクロールの終了時における前記選択画面内のコンテンツの中心位置が前記所定領域の中心位置からスクロール方向に進んだ場合に、前記コンテンツの中心位置を前記所定領域の中心位置に一致させるように前記選択画面を前記スクロール方向の反対方向にスクロールさせる、
情報表示装置。
【請求項６】
請求項４に記載の情報表示装置であって、
前記表示部は、コンテンツの選択画面を表示し、
前記スクロール制御部は、前記スクロールの終了時における前記選択画面内のコンテンツの中心位置が前記所定領域の中心位置より手前の位置である場合に、前記コンテンツの中心位置を前記所定領域の中心位置に一致させるように前記選択画面をスクロール方向にスクロールさせる、
情報表示装置。
【請求項７】
請求項１に記載の情報表示装置であって、
前記指示媒体が前記所定領域を斜め方向に超えた場合に、
前記第１の表示制御部は、前記指示媒体を前記表示部において非表示させ、
前記第２の表示制御部は、前記所定領域の形状を初期化する、
情報表示装置。
【請求項８】
請求項３に記載の情報表示装置であって、
前記スクロール制御部は、前記指示媒体とスクロール方向に対応した前記所定領域の端部との距離に応じて、前記スクロールのスクロール速度を調整する、
情報表示装置。
【請求項９】
請求項１に記載の情報表示装置であって、
前記動作実行部は、前記指示媒体が前記所定領域を下方向に超えて表示された場合に、前記指示媒体が指示するコンテンツに対する処理を実行しない、
情報表示装置。
【請求項１０】
請求項１に記載の情報表示装置であって、
前記動作実行部は、前記指示媒体が前記所定領域を上方向に超えて表示された場合に、前記指示媒体が指示するコンテンツを決定又は再生する、
情報表示装置。
【請求項１１】
請求項１０に記載の情報表示装置であって、
前記コンテンツの再生中に前記指示媒体が前記所定領域を右方向又は左方向に超えて表示された場合に、
前記動作実行部は、前記指示媒体と前記所定領域の右端部又は左端部との距離に応じて、コンテンツの再生速度を所定値未満となるように調整する、
情報表示装置。
【請求項１２】
請求項１０に記載の情報表示装置であって、
前記コンテンツの再生中に前記指示媒体が前記所定領域を上方向に超えて表示された場合に、
前記動作実行部は、前記コンテンツの再生を停止する、
情報表示装置。
【請求項１３】
コンテンツを表示する表示部を有する情報表示装置における情報表示方法であって、
所定の指示媒体を前記表示部に表示させるステップと、
前記コンテンツに対する処理を開始又は終了させるための所定領域を前記表示部に表示させるステップと、
前記指示媒体が前記所定領域を超えて表示された場合に、前記指示媒体が前記所定領域を超えた方向に前記所定領域の一部の形状を変形させるステップと、
前記所定領域の一部の形状の変形に応じて、前記コンテンツに対する処理を開始するステップと、を有する、
情報表示方法。
【発明の詳細な説明】
【技術分野】
【０００１】
本発明は、入力操作に応じて、ディスプレイに表示されたコンテンツに対する処理を実行する情報表示装置及び情報表示方法に関する。
【背景技術】
【０００２】
従来から、ディスプレイに表示されたコンテンツに対する処理（例えば選択、スクロール）を実行するための入力操作を簡易化するために、種々の技術が提案されている（例えば特許文献１及び２参照）。【０００３】
特許文献１に示す描画データ生成装置は、ディスプレイに表示されたアプリケーションウィンドウ内の画像を、カーソルと所定のスクロール基準点との相対的な位置関係に応じてスクロールを実行し、具体的には、スクロール基準点に対してカーソルを動かした方向にスクロールを実行する。また、スクロール基準点が所定の無効範囲を有する場合には、描画データ生成装置は、カーソルが無効範囲内にある間には画像のスクロールを実行しない。これにより、描画データ生成装置は、スクロールさせることを意図していないわずかな手の動きが発生して少しのマウスの動きが発生しても、無駄にスクロールが実行されてしまうことを防止できる。【０００４】
特許文献２に示す情報表示装置は、コンテンツ（例えば画像）に対する操作として、例えばユーザの最初のタッチ点からのドラッグ操作により、横軸方向に沿った長さが大きいほどコンテンツのスクロール速度を大きくし、縦軸方向に沿った長さが大きいほどコンテンツの表示サイズを小さくする。また、情報表示装置は、コンテンツに対する操作として、例えばユーザの最初のタッチ点からの斜め方向のドラッグ操作により、コンテンツのスクロール速度及び表示サイズを同時に変更する。これにより、情報表示装置は、コンテンツのスクロール速度や表示態様の変更を容易に実行できる。
【先行技術文献】
【特許文献】
【０００５】
【特許文献１】日本国特開２０１３−２００６３８号公報
【特許文献２】国際公開第２０１０／０８７２０３号
【発明の概要】
【発明が解決しようとする課題】
【０００６】
しかし、上述した特許文献１及び２を含む従来技術では、ユーザがコンテンツに対する処理の入力操作を実行しても、入力操作の内容によっては、装置側は、コンテンツに対する処理を正確なタイミングで開始することができても、当該処理を正確なタイミングで終了することができない場合があった。例えば、装置側は、コンテンツのスクロールを開始できても、どのタイミングでスクロールを終了すれば良いかを正確に認識できず、スクロールを継続することがあった。【０００７】
さらに、本発明者の検討によれば、上述した特許文献１及び２を含む従来技術では、コンテンツに対する処理が開始された後、コンテンツに対する処理を終了させることの示唆をユーザに対して視覚的に強調するための技術的な仕組みは設けられていなかった。【０００８】
本発明は、上述した従来の事情に鑑みてなされたものであり、表示された所定範囲の形状の変形により、コンテンツに対する処理を終了させることの示唆をユーザに対して視覚的に強調し、コンテンツに対する処理の開始及び終了のタイミングを正確に認識する情報表示装置及び情報表示方法を提供することを目的とする。
【課題を解決するための手段】
【０００９】
本発明は、コンテンツを表示する表示部と、所定の指示媒体を前記表示部に表示させる第１の表示制御部と、前記コンテンツに対する処理を開始又は終了させるための所定領域を前記表示部に表示させる第２の表示制御部と、前記所定領域に対する前記指示媒体の相対的な位置に応じて、前記コンテンツに対する処理の開始又は終了を制御する動作実行部と、を備え、前記第２の表示制御部は、前記指示媒体が前記所定領域を超えて表示された場合に、前記コンテンツに対する処理を前記動作実行部に開始させるとともに、前記指示媒体が前記所定領域を超えた方向に前記所定領域の一部の形状を変形させる、情報表示装置である。【００１０】
また、本発明は、コンテンツを表示する表示部を有する情報表示装置における情報表示方法であって、所定の指示媒体を前記表示部に表示させるステップと、前記コンテンツに対する処理を開始又は終了させるための所定領域を前記表示部に表示させるステップと、前記指示媒体が前記所定領域を超えて表示された場合に、前記コンテンツに対する処理を開始するステップと、前記コンテンツに対する処理の開始に応じて、前記指示媒体が前記所定領域を超えた方向に前記所定領域の一部の形状を変形させるステップと、を有する、情報表示方法である。
【発明の効果】
【００１１】
本発明によれば、表示された所定範囲の形状の変形により、コンテンツに対する処理を終了させることの示唆をユーザに対して視覚的に強調し、コンテンツに対する処理の開始及び終了のタイミングを正確に認識することができる。
【図面の簡単な説明】
【００１２】
【図１】図１（Ａ）は、本実施形態の情報処理システムの動作概要を模式的に示す説明図である。図１（Ｂ）は、本実施形態の情報表示装置の内部構成を詳細に示すブロック図である。
【図２】図２は、検知ポインタ及び不感領域の説明図である。
【図３】図３は、検知ポインタが不感領域の第１境界線を上方向に超えて移動した場合のコンテンツに対する処理の説明図である。
【図４】図４は、検知ポインタが矩形形状の不感領域の第２境界線を右方向に超えて移動した場合のコンテンツの選択画面のスクロールの説明図である。
【図５】図５は、図４に示す検知ポインタの右方向への移動によって開始した右方向の自動スクロールが終了した時にコンテンツのサムネイルの中心位置が不感領域の中心に位置しない場合でも、コンテンツのサムネイルの中心位置を不感領域の中心位置に一致させる表示例の説明図である。
【図６】図６は、検知ポインタが矩形形状の不感領域の第２境界線を左方向に超えて移動した場合のコンテンツの選択画面のスクロールの説明図である。
【図７】図７は、図６に示す検知ポインタの左方向への移動によって開始した左方向の自動スクロールが終了した時にコンテンツのサムネイルの中心位置が不感領域の中心に位置しない場合でも、コンテンツのサムネイルの中心位置を不感領域の中心位置に一致させる表示例の説明図である。
【図８】図８は、検知ポインタが丸形状の不感領域の第２境界線を右方向に超えて移動した場合のコンテンツの選択画面のスクロールの説明図である。
【図９】図９は、図８に示す検知ポインタの右方向への移動によって開始した右方向の自動スクロールが終了した時にコンテンツのサムネイルの中心位置が不感領域の中心に位置しない場合でも、コンテンツのサムネイルの中心位置を不感領域の中心位置に一致させる表示例の説明図である。
【図１０】図１０は、検知ポインタが丸形状の不感領域の第２境界線を左方向に超えて移動した場合のコンテンツの選択画面のスクロールの説明図である。
【図１１】図１１は、図１０に示す検知ポインタの左方向への移動によって開始した左方向の自動スクロールが終了した時にコンテンツのサムネイルの中心位置が不感領域の中心に位置しない場合でも、コンテンツのサムネイルの中心位置を不感領域の中心位置に一致させる表示例の説明図である。
【図１２】図１２は、コンテンツの選択画面がディスプレイに表示されている場合の本実施形態の情報表示装置の動作手順の一例を説明するフローチャートである。
【図１３】図１３は、検知ポインタが不感領域の第２境界線を超えた移動によって開始したマップのスクロールの一例を示す説明図である。
【図１４】図１４は、コンテンツの一例としてマップがディスプレイに表示されている場合の本実施形態の情報表示装置の動作手順の一例を説明するフローチャートである。
【図１５】図１５は、ユーザの掌が検知されたことを示す検知ポインタの不感領域内の上下方向の移動に応じて、マップを詳細表示又は広域表示する例の説明図である。
【図１６】図１６（Ａ）〜（Ｄ）は、ディスプレイに正八角形の形状の不感領域の一例が表示された情報表示装置の外観を示す六面図である。
【図１７】図１７（Ａ）〜（Ｄ）は、図１６（Ａ）に示す不感領域が検知ポインタの右方向への移動によって開始した、不感領域の右方向への形状変形の一例及びコンテンツの選択画面のスクロールの説明図である。
【図１８】図１８（Ａ）〜（Ｄ）は、ディスプレイに正八角形の形状の不感領域の他の一例が表示された情報表示装置の外観を示す六面図である。
【図１９】図１９（Ａ）〜（Ｄ）は、図１８（Ａ）に示す不感領域が検知ポインタの右方向への移動によって開始した、不感領域の右方向への形状変形の他の一例及びコンテンツの選択画面のスクロールの説明図である。
【図２０】図２０（Ａ）〜（Ｄ）は、ディスプレイに正十二角形の形状の不感領域の一例が表示された情報表示装置の外観を示す六面図である。
【図２１】図２１（Ａ）〜（Ｅ）は、図２０（Ａ）に示す不感領域が検知ポインタの右方向への移動によって開始した、不感領域の右方向への形状変形の一例及びコンテンツの選択画面のスクロールの説明図である。
【図２２】図２２（Ａ）〜（Ｄ）は、ディスプレイに正十二角形の形状の不感領域の他の一例が表示された情報表示装置の外観を示す六面図である。
【図２３】図２３（Ａ）〜（Ｅ）は、図２２（Ａ）に示す不感領域が検知ポインタの右方向への移動によって開始した、不感領域の右方向への形状変形の他の一例の一例及びコンテンツの選択画面のスクロールの説明図である。
【図２４】図２４（Ａ）〜（Ｄ）は、図１６（Ａ）に示す不感領域が検知ポインタの左方向への移動によって開始した、不感領域の左方向への形状変形の一例及びコンテンツの選択画面のスクロールの説明図である。
【図２５】図２５（Ａ）〜（Ｄ）は、図１８（Ａ）に示す不感領域が検知ポインタの左方向への移動によって開始した、不感領域の左方向への形状変形の一例及びコンテンツの選択画面のスクロールの説明図である。
【図２６】図２６（Ａ）〜（Ｄ）は、図１６（Ａ）に示す不感領域が検知ポインタの上方向への移動によって開始した、不感領域の上方向への形状変形の一例及びコンテンツの選択画面のスクロールの説明図である。
【図２７】図２７（Ａ）〜（Ｄ）は、図１８（Ａ）に示す不感領域が検知ポインタの上方向への移動によって開始した、不感領域の上方向への形状変形の一例及びコンテンツの選択画面のスクロールの説明図である。
【図２８】図２８（Ａ）〜（Ｄ）は、図１６（Ａ）に示す不感領域が検知ポインタの下方向への移動によって開始した、不感領域の下方向への形状変形の一例及びコンテンツの選択画面のスクロールの説明図である。
【図２９】図２９（Ａ）〜（Ｄ）は、図１８（Ａ）に示す不感領域が検知ポインタの下方向への移動によって開始した、不感領域の下方向への形状変形の一例及びコンテンツの選択画面のスクロールの説明図である。
【図３０】図３０（Ａ）〜（Ｅ）は、図２０（Ａ）に示す不感領域が検知ポインタの左方向への移動によって開始した、不感領域の左方向への形状変形の一例及びコンテンツの選択画面のスクロールの説明図である。
【図３１】図３１（Ａ）〜（Ｅ）は、図２２（Ａ）に示す不感領域が検知ポインタの左方向への移動によって開始した、不感領域の左方向への形状変形の一例及びコンテンツの選択画面のスクロールの説明図である。
【図３２】図３２（Ａ）〜（Ｅ）は、図２０（Ａ）に示す不感領域が検知ポインタの上方向への移動によって開始した、不感領域の上方向への形状変形の一例及びコンテンツの選択画面のスクロールの説明図である。
【図３３】図３３（Ａ）〜（Ｅ）は、図２２（Ａ）に示す不感領域が検知ポインタの上方向への移動によって開始した、不感領域の上方向への形状変形の一例及びコンテンツの選択画面のスクロールの説明図である。
【図３４】図３４（Ａ）〜（Ｅ）は、図２０（Ａ）に示す不感領域が検知ポインタの下方向への移動によって開始した、不感領域の下方向への形状変形の一例及びコンテンツの選択画面のスクロールの説明図である。
【図３５】図３５（Ａ）〜（Ｅ）は、図２２（Ａ）に示す不感領域が検知ポインタの下方向への移動によって開始した、不感領域の下方向への形状変形の一例及びコンテンツの選択画面のスクロールの説明図である。
【発明を実施するための形態】
【００１３】
以下、本発明に係る情報表示装置及び情報表示方法の実施形態（以下、「本実施形態」という）について、図面を参照して説明する。本実施形態の情報表示装置は、情報表示装置内に保存されたコンテンツ又は情報表示装置が予め取得した若しくは外部から受信したコンテンツに対する処理を実行する機能を有するマルチメディア表示機器である。本実施形態の情報表示装置は、マルチメディア表示機器の一例として、例えば家庭内のリビングに設置されたテレビジョン装置、航空機内の座席シートの背面側に設けられたディスプレイを含む航空機用電子表示機器、車載機器として設けられたディスプレイを含む車載用情報表示機器、鉄道車両機器として設けられたディスプレイを含む車両用情報表示機器、又は、デジタルサイネージ用の情報表示機器等が該当する。
【００１４】
但し、情報表示装置は、特に上述したテレビジョン装置、表示用電子機器等に限定されず、他にはディスプレイを有する電子機器（例えばＰＣ（Personal Computer）、スマートフォン又はタブレット端末、ディスプレイを有する家電機器等）であれば良い。また、本実施形態の情報表示装置が取り扱うコンテンツは、例えば動画、静止画、電子書籍、音楽、マップの各データであるが、これらに限定されない。なお、本発明は、情報表示装置が行う各動作（ステップ）を有する情報表示方法として表現することも可能である。
【００１５】
図１（Ａ）は、本実施形態の情報処理システム１００の動作概要を模式的に示す説明図である。図１（Ａ）に示す情報処理システム１００は、情報表示装置１と、センサ５とを含む構成である。センサ５は、接続ケーブルＣＢを介して、情報表示装置１に接続されている。図１（Ａ）の説明を簡単にするために、情報表示装置１のディスプレイ１９には、コンテンツ（例えば動画）の選択画面が表示されているとする。
【００１６】
センサ５は、所定のセンシング範囲ＳＲの内部に存在するユーザの指ＦＧを検知する。情報表示装置１は、センサ５が出力した検知結果信号（後述参照）に応じて、センサ５がユーザの指ＦＧを検知したことを示す検知ポインタＰＴをディスプレイ１９に表示させ、更に、ディスプレイ１９に表示されたコンテンツの選択画面に対する処理を開始又は終了させるための不感領域ＡＲを表示させる。検知ポインタＰＴ及び不感領域ＡＲの表示タイミングは同時でも良いし、検知ポインタＰＴが先に表示された後に不感領域ＡＲが表示されても良い。
【００１７】
センサ５は、センシング範囲ＳＲ内に存在するユーザの指ＦＧの上下左右の各方向への移動を検知でき、検知結果を含む検知結果信号を情報表示装置１に出力する。なお、センサ５は、指ＦＧがセンシング範囲ＳＲ内から外れた場合には、指ＦＧを検知できなかった旨の検知結果を含む検知結果信号を情報表示装置１に出力する。情報表示装置１は、センサ５が出力した検知結果信号に応じて、センシング範囲ＳＲ内の指ＦＧの移動経路（軌跡）に合わせて検知ポインタＰＴをディスプレイ１９において移動させ、指ＦＧがセンシング範囲ＳＲ内を外れた場合に検知ポインタＰＴをディスプレイ１９から非表示させる。なお、本実施形態の説明を簡単にするために、センサ５はセンシング範囲ＳＲ内の指ＦＧを検知するものとして説明するが、センサ５の検知対象はユーザの指ＦＧに限定されない。センサ５の検知対象がユーザの指ＦＧ以外である場合の説明は後述する。
【００１８】
また、情報表示装置１は、ユーザの指ＦＧの動きに応じて検知ポインタＰＴが不感領域ＡＲの初期範囲の境界線（以下、「第１境界線」という）の内側にいったん入り、その後に（検知ポインタＰＴが最初から不感領域ＡＲの範囲内にいた時はその限りではない）、第１境界線から外側に超えて移動すると、検知ポインタＰＴの移動方向と同一方向に、不感領域ＡＲの一部の形状を変形させ、更に、第１境界線から所定閾値ほど外側に離れた第２境界線ＳＡＲ（以下、「第２境界線」という。図１（Ａ）参照）を超えて移動すると、コンテンツの選択画面をスクロールする（詳細は後述参照）。ここで、不感領域ＡＲの初期範囲とは、例えば不感領域ＡＲがディスプレイ１９に最初に表示された時に表示された、不感領域ＡＲの初期状態の範囲（大きさ）を示す表示領域である。
【００１９】
図１（Ｂ）は、本実施形態の情報表示装置１の内部構成を詳細に示すブロック図である。図１（Ｂ）に示す情報表示装置１は、検知ポインタ表示制御部１１と、不感領域表示制御部１３と、スクロール制御部１５と、アプリケーション１７と、ディスプレイ１９とを少なくとも含む構成である。なお、図１（Ｂ）に示す情報処理システム１００では、センサ５と情報表示装置１とは別体の構成として示されているが、センサ５が情報表示装置１の内部に設けられても良い。
【００２０】
第１の表示制御部の一例としての検知ポインタ表示制御部１１は、センサ５が出力した検知結果信号に応じて、検知ポインタＰＴのディスプレイ１９への表示を制御する。例えば、検知ポインタ表示制御部１１は、センサ５がセンシング範囲ＳＲ内においてユーザの指ＦＧを検知した旨の検知結果信号をセンサ５から受けた場合、例えばセンサ５と検知された指ＦＧとの空間的な距離又は方向に応じて、検知ポインタＰＴをディスプレイ１９に表示させる。センサ５と検知された指ＦＧとの空間的な距離又は方向に関する情報は、検知結果信号に含まれる。一方、検知ポインタ表示制御部１１は、センサ５がセンシング範囲ＳＲ内においてユーザの指ＦＧを検知しない旨の検知結果信号をセンサ５から受けた場合、検知ポインタＰＴをディスプレイ１９から非表示させる。
【００２１】
また、検知ポインタ表示制御部１１は、検知ポインタＰＴのディスプレイ１９における座標のデータを不感領域表示制御部１３、スクロール制御部１５及びアプリケーション１７に出力する。
【００２２】
第２の表示制御部の一例としての不感領域表示制御部１３は、検知ポインタ表示制御部１１からの出力に応じて、不感領域ＡＲのディスプレイ１９への表示、及び表示された不感領域ＡＲの形状の変形を制御する。例えば、不感領域表示制御部１３は、センサ５がセンシング範囲ＳＲ内においてユーザの指ＦＧを検知した旨の検知結果信号をセンサ５から受けた場合、例えばディスプレイ１９の表示画面の中心位置を中心として、不感領域ＡＲの初期範囲を表示させる。但し、不感領域ＡＲの表示位置は、ディスプレイ１９の中心位置の周囲に限定されない。
【００２３】
また、不感領域表示制御部１３は、検知ポインタＰＴが不感領域ＡＲの第１境界線を超えて移動した場合には、検知ポインタＰＴの移動方向と同一方向に、不感領域ＡＲの一部の形状を変形させて表示する（詳細は後述参照）。なお、第１境界線と第２境界線ＳＡＲとの間の幅に相当する所定閾値は不感領域ＡＲの左右上下の各方向の第１境界線毎に、同一の値が設定されても良いし、異なる値が設定されても良い。更に、不感領域表示制御部１３は、検知ポインタＰＴが不感領域ＡＲの第１境界線の外側から不感領域ＡＲの第１境界線内に戻った場合には、不感領域ＡＲの形状を初期化する（詳細は後述参照）。
【００２４】
スクロール制御部１５は、検知ポインタ表示制御部１１及び不感領域表示制御部１３からの各出力に応じて、ディスプレイ１９に表示されたコンテンツ又はコンテンツの選択画面のスクロールの開始、継続、終了及びスクロール速度を制御する。例えば、スクロール制御部１５は、不感領域ＡＲの一部の形状を変形させた旨の出力信号を不感領域表示制御部１３から受けた場合には、スクロール速度とスクロール方向との各情報をアプリケーション１７に出力する。アプリケーション１７は、スクロール速度とスクロール方向との各情報に応じて、ディスプレイ１９に表示されたコンテンツをスクロールさせる。
【００２５】
また、スクロール制御部１５は、所定の規定時間（例えば１００ミリ秒）以上にわたって不感領域ＡＲの一部の形状を変形させた旨の出力信号を不感領域表示制御部１３から受けた場合には、不感領域ＡＲの一部の形状が変形した方向と同一方向に、自動スクロールの開始指示をアプリケーション１７に出力する。スクロール制御部１５は、自動スクロールを開始すると、所定の自動スクロール終了条件が満たされるまで、自動スクロールの継続指示をアプリケーション１７に出力する。アプリケーション１７は、スクロール制御部１５からの開始指示又は継続指示に応じて、ディスプレイ１９に表示されたコンテンツの自動スクロールを開始又は継続する。
【００２６】
また、スクロール制御部１５は、所定の自動スクロール終了条件が満たされた場合には、自動スクロールの終了指示をアプリケーション１７に出力する。アプリケーション１７は、スクロール制御部１５からの終了指示に応じて、ディスプレイ１９に表示されたコンテンツの自動スクロールを終了する。ここで、所定の自動スクロール終了条件とは、例えば検知ポインタＰＴが不感領域ＡＲの第２境界線ＳＡＲ内に戻った場合、検知ポインタＰＴが不感領域ＡＲの第２境界線ＳＡＲを斜め方向に超えて移動した場合、及び指ＦＧがセンサ５により検知されなくなって検知ポインタＰＴが非表示された場合であるが、これらの場合に限定されない。
【００２７】
更に、スクロール制御部１５は、自動スクロール中に、ユーザの指ＦＧの移動操作に合わせて検知ポインタＰＴが右方向又は左方向に移動すると、自動スクロールのスクロール速度ｖの値を増加する又は減少するように調整する。例えば、スクロール制御部１５は、検知ポインタＰＴが不感領域ＡＲの第１境界線に近いほど減少するようにスクロール速度を調整し、検知ポインタＰＴが不感領域ＡＲの第１境界線から離れているほど増加するようにスクロール速度を調整する。
【００２８】
ここで、スクロール速度ｖは、スクロール方向に応じて、検知ポインタＰＴの不感領域の上下左右の各第１境界線からの距離ｘに応じて調整される。例えば、スクロール速度ｖと距離ｘとの関係は、ユーザがスクロール速度ｖを容易に調整できるように、正比例（１次関数）ではなく、例えば２次関数である（ｖ＝ａｘ２、ａは定数）。但し、スクロール速度ｖと距離ｘとの関係は２次関数に限定されない。
【００２９】
なお、ユーザが空中で指ＦＧを真横方向（水平方向）に動かすことは難しいと考えられるので、スクロール制御部１５は、検知ポインタＰＴが斜め方向に移動した場合でも、検知ポインタＰＴの斜め方向の移動量のうちの真横方向（水平方向、例えば右方向又は左方向）の移動量（座標の変化量）に応じて、スクロール速度を調整しても良い。これにより、スクロール制御部１５は、ユーザが指ＦＧを空中で少し斜め方向に動かした場合でも、ユーザが空中で指ＦＧを真横方向に動かした場合と同様にスクロール速度を調整できる。
【００３０】
動作実行部の一例としてのアプリケーション１７は、情報表示装置１に予めインストールされ、スクロール制御部１５からの出力に応じて、コンテンツに対する処理の開始、継続又は終了を制御する。例えば、アプリケーション１７は、検知ポインタＰＴが不感領域ＡＲの第２境界線ＳＡＲを上方向に超えて移動したことをスクロール制御部１５から通知された場合には、選択されたコンテンツ（例えば不感領域ＡＲの中心又はディスプレイ１９の表示画面の中心に表示されているコンテンツ）を決定又は再生する。一方、アプリケーション１７は、検知ポインタＰＴが不感領域ＡＲの第２境界線ＳＡＲから下方向に超えて移動したことをスクロール制御部１５から通知された場合には、コンテンツに対する処理を実行しない。
【００３１】
また、アプリケーション１７は、コンテンツ（例えば動画）の再生中に検知ポインタＰＴが不感領域ＡＲの第２境界線ＳＡＲを右方向又は左方向に超えて移動した場合に、検知ポインタＰＴと不感領域ＡＲの第２境界線ＳＡＲ（例えば不感領域ＡＲの右端部又は左端部）との距離に応じて、コンテンツの再生速度を所定値未満となる範囲で調整する。
【００３２】
更に、アプリケーション１７は、コンテンツ（例えば動画）の再生中に検知ポインタＰＴが不感領域ＡＲの第２境界線ＳＡＲを上方向に超えて移動したことをスクロール制御部１５から通知された場合には、コンテンツの再生を停止する。
【００３３】
表示部の一例としてのディスプレイ１９は、例えばＬＣＤ（Liquid Crystal Display）又は有機ＥＬ（Electroluminescence）を用いて構成され、情報表示装置１内の記憶部（不図示）に記憶されているコンテンツのデータ又はコンテンツの選択画面を表示する。
【００３４】
センサ５は、センサ５の設置位置を基準とした所定のセンシング範囲ＳＲにおいて、センシング範囲ＳＲを視野角とする映像を撮像するカメラ機能と、カメラ機能により撮像された映像の中で特定の被写体（検知対象）とセンサ５自身との間の距離を測定する測距機能とを少なくとも有する。説明を簡単にするために、本実施形態では、センサ５は、センシング範囲ＳＲに存在するユーザの指ＦＧを検知し、指ＦＧを検知した旨又は指ＦＧを検知しない旨の検知結果信号を情報表示装置１に出力する。
【００３５】
次に、検知ポインタＰＴ及び不感領域ＡＲについて、図２を参照して詳細に説明する。図２は、検知ポインタＰＴ及び不感領域ＡＲの説明図である。先ず、ディスプレイ１９には、各コンテンツのサムネイルＣＴ１，ＣＴ２，ＣＴ３が水平方向に並べられたコンテンツの選択画面が表示されている場合を想定する（図２の左図参照）。
【００３６】
ここで、センサ５がセンシング範囲ＳＲに存在するユーザの指ＦＧを検知すると、情報表示装置１は、センサ５が出力した検知結果信号に応じて、検知ポインタＰＴと不感領域ＡＲとをディスプレイ１９に表示させる（図２の右図参照）。例えば図２では、検知ポインタＰＴは犬が描かれたコンテンツのサムネイルＣＴ２を指示しており、不感領域ＡＲはディスプレイ１９の中心位置を中心として表示されている。
【００３７】
次に、検知ポインタＰＴが不感領域ＡＲの第１境界線を上方向に超えて移動した場合のコンテンツに対する処理（例えば動画の再生処理）の一例について、図３を参照して説明する。図３は、検知ポインタＰＴが不感領域ＡＲの第１境界線を上方向に超えて移動した場合のコンテンツに対する処理の説明図である。
【００３８】
先ず、ディスプレイ１９には、各コンテンツのサムネイルＣＴ１，ＣＴ２，ＣＴ３が水平方向に並べられたコンテンツの選択画面が表示され、検知ポインタＰＴ及び不感領域ＡＲも表示されている場合を想定する（図３の左上図参照）。検知ポインタＰＴは不感領域ＡＲの初期範囲の中心に表示されている。
【００３９】
ここで、ユーザが指ＦＧを上方向に動かすことで、検知ポインタＰＴが不感領域ＡＲの中心位置から、不感領域ＡＲの第１境界線を上方向に超えて移動したとする。この場合、情報表示装置１は、上方向に移動した検知ポインタＰＴに引っ張られるように、不感領域ＡＲの一部の形状（例えば不感領域ＡＲの上端部の形状）を変形させる（図３の左下図参照）。さらに、検知ポインタＰＴが第２境界線ＳＡＲを越えて移動すると、情報表示装置１は、不感領域ＡＲの一部の形状が変形する前に不感領域ＡＲの初期範囲の中心又はディスプレイ１９の表示画面の中心に表示されているコンテンツのサムネイルＣＴ２を選択して、サムネイルＣＴ２に対応したコンテンツ（例えば動画）を再生する（図３の右図参照）。
【００４０】
次に、不感領域ＡＲが矩形形状である場合のスクロールについて、図４〜図７を参照して説明する。図４は、検知ポインタＰＴが矩形形状の不感領域ＡＲの第２境界線ＳＡＲを右方向に超えて移動した場合のコンテンツの選択画面のスクロールの説明図である。なお、図４の説明を簡単にするため、検知ポインタＰＴが不感領域ＡＲの第２境界線ＳＡＲを右方向に超えて移動した場合に右方向のスクロールが開始されるとして説明する。
【００４１】
先ず、ディスプレイ１９には、各コンテンツのサムネイルＣＴ１，ＣＴ２，ＣＴ３が水平方向に並べられたコンテンツの選択画面が表示され、検知ポインタＰＴ及び不感領域ＡＲも表示されている場合を想定する（図４の左上図参照）。検知ポインタＰＴは不感領域ＡＲの初期範囲の中心に表示されている。
【００４２】
ここで、ユーザが指ＦＧを右方向に動かした場合には、情報表示装置１は、不感領域ＡＲの中心位置に表示されていた検知ポインタＰＴを右方向に移動させる（図４の右上図参照）。このタイミングでは検知ポインタＰＴは不感領域ＡＲの初期範囲内に位置しているので、情報表示装置１は、コンテンツの選択画面のスクロールを開始しない。
【００４３】
ユーザが指ＦＧを更に右方向に動かした場合には、情報表示装置１は、不感領域ＡＲの初期範囲の右端部付近に表示されていた検知ポインタＰＴを更に右方向に移動させることで、検知ポインタＰＴを不感領域ＡＲの第１境界線外に移動させる。更に、情報表示装置１は、検知ポインタＰＴに引っ張られるように、不感領域ＡＲの一部の形状（例えば不感領域ＡＲの右端部の形状）を変形させる（図４の左下図参照）。情報表示装置１は、検知ポインタＰＴが不感領域ＡＲの第２境界線ＳＡＲの右端部を超えた時点で、コンテンツの選択画面の右方向へのスクロールを開始する。なお、情報表示装置１は、スクロールの開始を、所定音を出力することでユーザに知らせても良いし、例えば不感領域ＡＲの形状の色を変更することでユーザに知らせても良い。
【００４４】
また、情報表示装置１は、スクロールを開始する際、ディスプレイ１９に表示されているコンテンツの選択画面において、コンテンツのサムネイルを１つだけスクロールする。ユーザが空中で指ＦＧを真横方向に動かすことは難しいと考えられるので、情報表示装置１は、コンテンツのサムネイルを１つだけ確実にスクロールできるので、ユーザに処理対象のコンテンツのサムネイルを的確に選択させることができる。
【００４５】
また、情報表示装置１は、検知ポインタＰＴを不感領域ＡＲの第１境界線を右方向に超えて移動させた後、検知ポインタＰＴを不感領域ＡＲの第１境界線内に戻し、その後再び検知ポインタＰＴを不感領域ＡＲの第２境界線ＳＡＲを右方向に超えて移動させることで、コンテンツの選択画面においてコンテンツのサムネイルの連続的なスクロールを容易に実行できる。
【００４６】
図４の左下図に示す内容がディスプレイ１９に表示されている状態において、ユーザが指ＦＧを更に右方向に動かした場合には、情報表示装置１は、検知ポインタＰＴを不感領域ＡＲの第２境界線ＳＡＲ外の更に離れた位置に移動させる。情報表示装置１は、検知ポインタＰＴに引っ張られるように、不感領域ＡＲの一部の形状（例えば不感領域ＡＲの右端部の形状）を更に変形させる（図４の右下図参照）。更に、情報表示装置１は、不感領域ＡＲの一部の形状が右方向に変形されてから所定の規定時間（例えば１００ミリ秒）が経過すると右方向への自動スクロールを開始し、コンテンツの選択画面の右方向へのスクロールを継続する。
【００４７】
図５は、図４に示す検知ポインタＰＴの右方向への移動によって開始した右方向の自動スクロールが終了した時にコンテンツのサムネイルの中心位置が不感領域ＡＲの中心に位置しない場合でも、コンテンツのサムネイルの中心位置を不感領域ＡＲの中心位置に一致させる表示例の説明図である。
【００４８】
右方向の自動スクロールの終了が検知された時、特定のコンテンツのサムネイル（例えばサムネイルＣＴ３）の中心位置が不感領域ＡＲの中心位置からスクロール方向（右方向）に少し進んだ位置であったとする（図５の左上図参照）。この場合、情報表示装置１（のアプリケーション１７）は、コンテンツの選択画面をスクロール方向（右方向）の反対方向（左方向）に少しスクロールすることで、特定のコンテンツのサムネイルＣＴ３の中心位置を不感領域ＡＲの中心位置に一致させるように、コンテンツの選択画面を表示させる（図５の右図参照）。なお、情報表示装置１は、特定のコンテンツのサムネイルＣＴ３の中心位置を、不感領域ＡＲの中心位置ではなく、ディスプレイ１９の表示画面の中心に表示させても良い。
【００４９】
これにより、情報表示装置１は、自動スクロールが終了した時に特定のコンテンツのサムネイルＣＴ３の中心位置が不感領域ＡＲの中心位置からスクロール方向に少し進んだ位置であった場合でも、スクロールの終了時に特定のコンテンツの位置（例えばコンテンツの座標）とスクロール方向（例えば右方向）とを基にして、その特定のコンテンツのサムネイルＣＴ３を不感領域ＡＲの中心位置に一致させることで、その特定のコンテンツのサムネイルＣＴ３を正確に指示させることができる。
【００５０】
一方、右方向の自動スクロールの終了が検知された時、特定のコンテンツのサムネイル（例えばサムネイルＣＴ３）の中心位置が不感領域ＡＲの中心より少し手前の位置であったとする（図５の左下図参照）。この場合、情報表示装置１（のアプリケーション１７）は、コンテンツの選択画面をスクロール方向（右方向）に少しスクロールすることで、特定のコンテンツのサムネイルＣＴ３の中心位置を不感領域ＡＲの中心位置に一致させるように、コンテンツの選択画面を表示させる（図５の右図参照）。なお、情報表示装置１は、特定のコンテンツのサムネイルＣＴ３の中心位置を、不感領域ＡＲの中心位置ではなく、ディスプレイ１９の表示画面の中心に表示させても良い。
【００５１】
これにより、情報表示装置１は、自動スクロールが終了した時に特定のコンテンツのサムネイルＣＴ３の中心位置が不感領域ＡＲの中心位置より手前の位置であった場合でも、スクロールの終了時に特定のコンテンツの位置（例えばコンテンツの座標）とスクロール方向（例えば右方向）とを基にして、その特定のコンテンツのサムネイルＣＴ３を不感領域ＡＲの中心位置に一致させることで、その特定のコンテンツのサムネイルＣＴ３を正確に指示させることができる。
【００５２】
図６は、検知ポインタＰＴが矩形形状の不感領域ＡＲの第２境界線ＳＡＲを左方向に超えて移動した場合のコンテンツの選択画面のスクロールの説明図である。なお、図６の説明を簡単にするため、検知ポインタＰＴが不感領域ＡＲの第２境界線ＳＡＲを左方向に超えて移動した場合に左方向のスクロールが開始されるとして説明する。
【００５３】
先ず、ディスプレイ１９には、各コンテンツのサムネイルＣＴ１，ＣＴ２，ＣＴ３が水平方向に並べられたコンテンツの選択画面が表示され、検知ポインタＰＴ及び不感領域ＡＲも表示されている場合を想定する（図６の左上図参照）。検知ポインタＰＴは不感領域ＡＲの初期範囲の中心に表示されている。
【００５４】
ここで、ユーザが指ＦＧを左方向に動かした場合には、情報表示装置１は、不感領域ＡＲの中心位置に表示されていた検知ポインタＰＴを、不感領域ＡＲの第１境界線（左端部）を少し左方向に超えた位置に移動させたとする（図６の右上図参照）。
【００５５】
この場合、情報表示装置１は、検知ポインタＰＴに引っ張られるように、不感領域ＡＲの一部の形状（例えば不感領域ＡＲの左端部の形状）を変形させる（図６の右上図参照）。更に、情報表示装置１は、検知ポインタＰＴが不感領域ＡＲの第２境界線ＳＡＲを左方向に超えた時点で、コンテンツの選択画面の左方向へのスクロールを開始する。
【００５６】
また、ユーザが指ＦＧを更に左方向に移動させた場合には、情報表示装置１は、検知ポインタＰＴを不感領域ＡＲの第１境界線の更に外側に移動させる。更に、情報表示装置１は、検知ポインタＰＴに引っ張られるように、不感領域ＡＲの一部の形状（例えば不感領域ＡＲの左端部の形状）を更に変形させる（図６の下図参照）。更に、情報表示装置１は、不感領域ＡＲの一部の形状が左方向に変形されてから所定の規定時間（例えば１００ミリ秒）が経過すると左方向への自動スクロールを開始し、コンテンツの選択画面の左方向へのスクロールを継続する。
【００５７】
図７は、図６に示す検知ポインタＰＴの左方向への移動によって開始した左方向の自動スクロールが終了した時にコンテンツのサムネイルの中心位置が不感領域ＡＲの中心に位置しない場合でも、コンテンツのサムネイルの中心位置を不感領域ＡＲの中心位置に一致させる表示例の説明図である。
【００５８】
左方向の自動スクロールの終了が検知された時、特定のコンテンツのサムネイル（例えばサムネイルＣＴ１）の中心位置が不感領域ＡＲの中心位置より少し手前の位置であったとする（図７の左上図参照）。この場合、情報表示装置１（のアプリケーション１７）は、コンテンツの選択画面をスクロール方向（左方向）に少しスクロールすることで、特定のコンテンツのサムネイルＣＴ１の中心位置を不感領域ＡＲの中心位置に一致させるように、コンテンツの選択画面を表示させる（図７の右図参照）。なお、情報表示装置１は、特定のコンテンツのサムネイルＣＴ１の中心位置を、不感領域ＡＲの中心位置ではなく、ディスプレイ１９の表示画面の中心に表示させても良い。
【００５９】
これにより、情報表示装置１は、自動スクロールが終了した時に特定のコンテンツのサムネイルＣＴ１の中心位置が不感領域ＡＲの中心位置より少し手前の位置であった場合でも、スクロールの終了時に特定のコンテンツの位置（例えばコンテンツの座標）とスクロール方向（例えば左方向）とを基にして、その特定のコンテンツのサムネイルＣＴ１を不感領域ＡＲの中心位置に一致させることで、その特定のコンテンツのサムネイルＣＴ１を正確に指示させることができる。
【００６０】
一方、左方向の自動スクロールの終了が検知された時、特定のコンテンツのサムネイル（例えばサムネイルＣＴ１）の中心位置が不感領域ＡＲの中心位置からスクロール方向（左方向）に少し進んだ位置であったとする（図７の左下図参照）。この場合、情報表示装置１（のアプリケーション１７）は、コンテンツの選択画面をスクロール方向（左方向）の反対方向（右方向）に少しスクロールすることで、特定のコンテンツのサムネイルＣＴ１の中心位置を不感領域ＡＲの中心位置に一致させるように、コンテンツの選択画面を表示させる（図７の右図参照）。なお、情報表示装置１は、特定のコンテンツのサムネイルＣＴ１の中心位置を、不感領域ＡＲの中心位置ではなく、ディスプレイ１９の表示画面の中心に表示させても良い。
【００６１】
これにより、情報表示装置１は、自動スクロールが終了した時に特定のコンテンツのサムネイルＣＴ１の中心位置が不感領域ＡＲの中心位置からスクロール方向に少し進んだ位置であった場合でも、スクロールの終了時に特定のコンテンツの位置（例えばコンテンツの座標）とスクロール方向（例えば右方向）とを基にして、その特定のコンテンツのサムネイルＣＴ１を不感領域ＡＲの中心位置に一致させることで、その特定のコンテンツのサムネイルＣＴ１を正確に指示させることができる。
【００６２】
なお、図８〜図１１は、図４〜図７に示す不感領域ＡＲの形状が丸形状となった場合の各画面例を示しているが、不感領域ＡＲの形状以外の内容は同様であるため、図８〜図１１の内容の説明は割愛する。図８は、検知ポインタＰＴが丸形状の不感領域ＡＲ２の第２境界線ＳＡＲを右方向に超えて移動した場合のコンテンツの選択画面のスクロールの説明図である。図９は、図８に示す検知ポインタＰＴの右方向への移動によって開始した右方向の自動スクロールが終了した時にコンテンツのサムネイルの中心位置が不感領域ＡＲの中心に位置しない場合でも、コンテンツのサムネイルの中心位置を不感領域ＡＲの中心位置に一致させる表示例の説明図である。図１０は、検知ポインタＰＴが丸形状の不感領域ＡＲ２の第２境界線ＳＡＲを左方向に超えて移動した場合のコンテンツの選択画面のスクロールの説明図である。図１１は、図１０に示す検知ポインタＰＴの左方向への移動によって開始した左方向の自動スクロールが終了した時にコンテンツのサムネイルの中心位置が不感領域ＡＲの中心に位置しない場合でも、コンテンツのサムネイルの中心位置を不感領域ＡＲの中心位置に一致させる表示例の説明図である。なお、図８〜図１１においても、情報表示装置１は、特定のコンテンツのサムネイルの中心位置を、不感領域ＡＲの中心位置ではなく、ディスプレイ１９の表示画面の中心に表示させても良い。
【００６３】
次に、コンテンツの選択画面がディスプレイ１９に表示されている場合の本実施形態の情報表示装置１の動作手順の一例について、図１２を参照して説明する。図１２は、コンテンツの選択画面がディスプレイ１９に表示されている場合の本実施形態の情報表示装置１の動作手順の一例を説明するフローチャートである。図１２に示すフローチャートの説明を開始する前提として、ディスプレイ１９にはコンテンツの選択画面が表示されているとする。
【００６４】
図１２において、検知ポインタ表示制御部１１は、センサ５がセンシング範囲ＳＲにおいてユーザの指ＦＧを検知した旨の検知結果信号をセンサ５から受けた場合には（Ｓ１１、ＹＥＳ）、センサ５と検知された指ＦＧとの空間的な距離に応じて、検知ポインタＰＴをディスプレイ１９に表示させる（Ｓ１２）。更に、不感領域表示制御部１３は、センサ５がセンシング範囲ＳＲ内においてユーザの指ＦＧを検知した旨の検知結果信号をセンサ５から受けた場合、ディスプレイ１９の中心位置の周囲に不感領域ＡＲを表示させる（Ｓ１２）。
【００６５】
ステップＳ１２の後、ユーザが指ＦＧを所定方向に動かした場合、不感領域表示制御部１３は、検知ポインタ表示制御部１１が出力した検知ポインタＰＴのディスプレイ１９における座標のデータに応じて、検知ポインタＰＴが不感領域ＡＲの第１境界線を超えて移動したか否かを判定する（Ｓ１３）。検知ポインタＰＴが不感領域ＡＲの第１境界線を超えて移動していないと判定された場合には（Ｓ１３、ＮＯ）、不感領域表示制御部１３は、不感領域ＡＲの形状を変形させない。更に、検知ポインタ表示制御部１１は、検知ポインタＰＴを不感領域ＡＲの初期範囲内において表示させる（Ｓ１４）。
【００６６】
一方、検知ポインタＰＴが不感領域ＡＲの第１境界線を超えて移動したと判定された場合には（Ｓ１３、ＹＥＳ）、不感領域表示制御部１３は、検知ポインタＰＴが不感領域ＡＲの第１境界線を上方向に超えて移動したか否かを判定する（Ｓ１５）。不感領域表示制御部１３は、検知ポインタＰＴが不感領域ＡＲの第１境界線を上方向に超えて移動したと判定した場合には（Ｓ１５、ＹＥＳ）、検知ポインタＰＴに引っ張られるように、不感領域ＡＲの上端部の形状を変形させる。更に、不感領域表示制御部１３は、検知ポインタＰＴが不感領域ＡＲの第２境界線を上方向に超えて移動した場合には、検知ポインタＰＴが不感領域ＡＲの第２境界線を上方向に超えて移動した旨の判定結果をアプリケーション１７に出力する。アプリケーション１７は、不感領域表示制御部１３からの判定結果に応じて、表示画面の中心にあるコンテンツ（例えば動画）を再生する（Ｓ１６）。
【００６７】
また、不感領域表示制御部１３は、検知ポインタＰＴが不感領域ＡＲの第２境界線を上方向に超えて移動していないと判定した場合には（Ｓ１５、ＮＯ）、検知ポインタＰＴが不感領域ＡＲの第２境界線を左方向又は右方向に超えて移動したか否かを判定する（Ｓ１７）。検知ポインタＰＴが不感領域ＡＲの第２境界線を左方向及び右方向のいずれの方向を超えて移動していないと判定された場合には（Ｓ１７、ＮＯ）、情報表示装置１の動作はステップＳ１５に戻る。
【００６８】
一方、不感領域表示制御部１３は、検知ポインタＰＴが不感領域ＡＲの第２境界線を左方向又は右方向に超えて移動したと判定した場合には（Ｓ１７、ＹＥＳ）、所定時間以上にわたって検知ポインタＰＴが不感領域ＡＲの第２境界線を左方向又は右方向に超えて移動したか否かを判定する（Ｓ１８）。不感領域表示制御部１３は、所定時間以上にわたって検知ポインタＰＴが不感領域ＡＲの第２境界線を左方向又は右方向に超えて移動していないと判定した場合には（Ｓ１８、ＮＯ）、当該判定結果をスクロール制御部１５に出力する。スクロール制御部１５は、不感領域表示制御部１３からの判定結果に応じて、ディスプレイ１９に表示されたコンテンツの選択画面において、検知ポインタＰＴの移動方向に合わせてコンテンツを１つだけスクロールする旨の指示をアプリケーション１７に出力する。アプリケーション１７は、スクロール制御部１５からの指示に応じて、検知ポインタＰＴの移動方向に合わせてコンテンツを１つだけスクロールする（Ｓ１９）。
【００６９】
また、不感領域表示制御部１３は、所定時間以上にわたって検知ポインタＰＴが不感領域ＡＲの第２境界線を左方向又は右方向に超えて移動したと判定した場合には（Ｓ１９、ＹＥＳ）、当該判定結果をスクロール制御部１５に出力する。スクロール制御部１５は、不感領域表示制御部１３からの判定結果に応じて、ディスプレイ１９に表示されたコンテンツの選択画面において、検知ポインタＰＴの移動方向に沿った自動スクロールを開始する旨の指示をアプリケーション１７に出力する。アプリケーション１７は、スクロール制御部１５からの指示に応じて、ディスプレイ１９に表示されたコンテンツの選択画面において、検知ポインタＰＴの移動方向に沿った自動スクロールを開始する（Ｓ２０）。
【００７０】
ステップＳ２０の後、所定の自動スクロール終了条件が満たされない場合には（Ｓ２１、ＮＯ）、スクロール制御部１５は、ステップＳ２０において開始した自動スクロールをアプリケーション１７に継続させる（Ｓ２２）。一方、所定の自動スクロール終了条件が満たされた場合には（Ｓ２１、ＹＥＳ）、スクロール制御部１５は、自動スクロールを終了させるようにアプリケーション１７に通知する。更に、不感領域表示制御部１３は、自動スクロールの終了時におけるコンテンツの選択画面内の特定のコンテンツのサムネイルの中心位置が不感領域ＡＲの中心位置を自動スクロールの方向に対して通過したか否かを判定する（Ｓ２３）。
【００７１】
自動スクロールの終了時におけるコンテンツの選択画面内の特定のコンテンツのサムネイルの中心位置が不感領域ＡＲの中心位置を自動スクロールの方向に対して通過したと判定された場合には（Ｓ２３、ＹＥＳ）、アプリケーション１７は、コンテンツの選択画面を自動スクロール方向の反対方向にスクロールすることで、特定のコンテンツのサムネイルの中心位置を不感領域ＡＲの中心位置に一致させるように、コンテンツの選択画面を戻す（Ｓ２４）。
【００７２】
一方、自動スクロールの終了時におけるコンテンツの選択画面内の特定のコンテンツのサムネイルの中心位置が不感領域ＡＲの中心位置を自動スクロールの方向に対して通過していないと判定された場合には（Ｓ２３、ＮＯ）、アプリケーション１７は、コンテンツの選択画面を自動スクロール方向にスクロールすることで、特定のコンテンツのサムネイルの中心位置を不感領域ＡＲの中心位置に一致させるように、コンテンツの選択画面を進ませる（Ｓ２５）。
【００７３】
次に、コンテンツの一例としてマップＭＰがディスプレイ１９に表示されている場合のスクロールについて、図１３を参照して説明する。図１３は、検知ポインタＰＴが不感領域ＡＲの第２境界線を超えた移動によって開始したマップＭＰのスクロールの一例を示す説明図である。なお、図１３の説明を簡単にするため、検知ポインタＰＴが不感領域ＡＲ２の第２境界線を左上方向に超えて移動した場合に左上方向のマップＭＰのスクロールが開始されるとして説明する。
【００７４】
先ず、ディスプレイ１９には、コンテンツの一例としてマップＭＰのデータが表示され、検知ポインタＰＴ及び丸形状の不感領域ＡＲ２も表示されている場合を想定する（図１３の左上図参照）。検知ポインタＰＴは不感領域ＡＲ２の初期範囲の中心に表示されている。
【００７５】
ここで、ユーザが指ＦＧを左上方向に動かした場合には、情報表示装置１は、不感領域ＡＲ２の中心位置に表示されていた検知ポインタＰＴを左上方向に移動させ、更に、検知ポインタＰＴの移動方向と同一方向に不感領域ＡＲ２の一部の形状（例えば左上方向の形状）を伸ばすように変形させる（図１３の右上図参照）。更に、ユーザが指ＦＧを左上方向に動かして検知ポインタＰＴが不感領域ＡＲ２の第２境界線ＳＡＲを超えて移動した場合、情報表示装置１は、不感領域ＡＲ２の一部の形状を変形させた方向と同一方向、即ち検知ポインタＰＴの移動方向と同一方向に、ディスプレイ１９に表示されているマップＭＰのスクロールを開始する（図１３の右上図参照）。
【００７６】
ユーザが指ＦＧを更に左上方向に移動させた場合には、情報表示装置１は、検知ポインタＰＴを更に左上方向に移動させるとともに、検知ポインタＰＴにより更に引っ張られるように不感領域ＡＲ２の左上方向の一部の形状を更に変形させる（図１３の左下図参照）。更に、情報表示装置１は、不感領域ＡＲ２の一部の形状を更に変形させた方向と同一方向、即ち検知ポインタＰＴの移動方向と同一方向に、ディスプレイ１９に表示されているマップＭＰを更にスクロールする（図１３の左下図参照）。
【００７７】
同様に、ユーザが指ＦＧを更に左上方向に移動させた場合には、情報表示装置１は、検知ポインタＰＴを更に左上方向に移動させるとともに、検知ポインタＰＴにより更に引っ張られるように不感領域ＡＲ２の左上方向の一部の形状を更に変形させる（図１３の右下図参照）。更に、ユーザが指ＦＧを左上方向に動かして検知ポインタＰＴが不感領域ＡＲ２の第２境界線ＳＡＲを超えて移動した場合、情報表示装置１は、不感領域ＡＲ２の一部の形状を更に変形させた方向と同一方向、即ち検知ポインタＰＴの移動方向と同一方向に、ディスプレイ１９に表示されているマップＭＰを更にスクロールする（図１３の右下図参照）。
【００７８】
次に、マップＭＰのデータがディスプレイ１９に表示されている場合の本実施形態の情報表示装置１の動作手順の一例について、図１４を参照して説明する。図１４は、コンテンツの一例としてマップＭＰのデータがディスプレイ１９に表示されている場合の本実施形態の情報表示装置１の動作手順の一例を説明するフローチャートである。なお、図１４に示すフローチャートの説明では、図１２に示すフローチャートの説明と同一の内容の説明を省略又は簡略化し、異なる内容について説明する。
【００７９】
なお、図１４の説明を簡単にするため、検知ポインタＰＴが不感領域ＡＲ２の第２境界線ＳＡＲを超えて移動した場合にマップＭＰのスクロールが開始されるとして説明する。
【００８０】
図１４において、検知ポインタＰＴが不感領域ＡＲ２の第１境界線を超えて移動したと判定された場合には（Ｓ１３、ＹＥＳ）、不感領域表示制御部１３は、不感領域ＡＲ２の一部の形状を、検知ポインタＰＴが不感領域ＡＲ２の第１境界線を超えて移動した方向（検知ポインタＰＴの移動方向）に引っ張られるように変形させる。更に、検知ポインタＰＴが不感領域ＡＲ２の第２境界線ＳＡＲを超えて移動したと判定された場合には、スクロール制御部１５は、不感領域表示制御部１３からの判定結果に応じて、検知ポインタＰＴの移動方向と同一方向に沿って、ディスプレイ１９に表示されているマップＭＰのスクロールを開始する旨の指示をアプリケーション１７に出力する。アプリケーション１７は、スクロール制御部１５からの指示に応じて、検知ポインタＰＴの移動方向と同一方向に沿って、ディスプレイ１９に表示されているマップＭＰのスクロールを開始する（Ｓ３１）。
【００８１】
また、不感領域表示制御部１３は、マップＭＰのスクロール中に、不感領域ＡＲ２の枠線を、スクロールが開始される前の不感領域ＡＲ２の枠線より伸ばした距離に応じて細く表示しても良い（Ｓ３２）。これにより、不感領域表示制御部１３は、不感領域ＡＲ２の中心付近に指を戻した方が良いという事を視覚的にユーザに対して示すことができる。なお、伸ばした線は、濃淡をつけて表示してもよい。また、ステップＳ３２の処理は省略されても良い。
【００８２】
ステップＳ３１又はＳ３２の後、所定のスクロールの終了条件が満たされない場合には（Ｓ３３、ＮＯ）、スクロール制御部１５は、ステップＳ３１において開始したスクロールを継続する旨の指示をアプリケーション１７に出力する。アプリケーション１７は、スクロール制御部１５からの指示に応じて、ステップＳ３１において開始したスクロールを継続する（Ｓ３４）。一方、所定のスクロールの終了条件が満たされた場合には（Ｓ３３、ＹＥＳ）、スクロール制御部１５は、ステップＳ３１において開始したスクロールを終了する。なお、所定のスクロールの終了条件は、検知ポインタＰＴが不感領域ＡＲ２の初期範囲内に戻った場合、又は指ＦＧがセンサ５により検知されなくなって検知ポインタＰＴが非表示された場合であるが、これらの場合に限定されない。
【００８３】
以上により、本実施形態の情報表示装置１は、例えばセンサ５がユーザの指ＦＧを検知したことに応じて、検知ポインタＰＴをディスプレイ１９に表示させ、更に、不感領域ＡＲをディスプレイ１９に表示させる。情報表示装置１は、不感領域ＡＲに対する検知ポインタＰＴの相対的な位置に応じて、コンテンツに対する処理の開始し、継続し、又は終了する。
【００８４】
また、情報表示装置１は、検知ポインタＰＴが不感領域ＡＲの第１境界線を超えて移動した場合に、検知ポインタＰＴが不感領域ＡＲを超えた方向に不感領域ＡＲの一部の形状を変形させ、更に、検知ポインタＰＴが不感領域ＡＲの第２境界線ＳＡＲを超えて移動した場合は、ディスプレイ１９に表示されたコンテンツに対する処理をアプリケーション１７に開始させる。
【００８５】
これにより、情報表示装置１は、検知ポインタＰＴが不感領域ＡＲの第２境界線ＳＡＲを超えて移動した時点をコンテンツに対する処理の開始時点と正確に認識でき、更に、ディスプレイ１９に表示された不感領域ＡＲの一部の形状を検知ポインタＰＴの移動方向に沿って変形させることで、コンテンツに対する処理を終了させるための示唆をユーザに対して視覚的に強調することができる。従って、情報表示装置１は、コンテンツに対する処理を終了させるための示唆に従ってユーザが検知ポインタＰＴを不感領域ＡＲの初期範囲内に戻すように移動させた場合に、検知ポインタＰＴが不感領域ＡＲの初期範囲内に移動した時点をコンテンツに対する処理の終了時点として正確に認識できる。
【００８６】
なお、上述した本実施形態では、センサ５は、センシング範囲ＳＲに存在するユーザの指ＦＧを検知するものとして説明したが、検知対象としてはユーザの指ＦＧに限らず、例えばユーザの手又は掌を検知することもできる。例えばセンサ５がユーザの掌を検知した場合の情報表示装置１の動作について、図１５を参照して説明する。図１５は、掌の検知を示す検知ポインタＰＴ３の不感領域ＡＲ３内の上下方向の移動に応じて、マップＭＰを詳細表示又は広域表示する例の説明図である。
【００８７】
先ず、ディスプレイ１９には、コンテンツの一例としてマップＭＰのデータが表示され、検知ポインタＰＴ及び丸形状の不感領域ＡＲ２も表示されている場合を想定する（図１５の上側参照）。検知ポインタＰＴは不感領域ＡＲ２の初期範囲の中心に表示されている。
【００８８】
ここで、ユーザが指ＦＧを立てている状態から手を開いてことで、センサ５がセンシング範囲ＳＲに存在するユーザの掌を検知し、ユーザの掌を検知した旨の検知結果を含む検知結果信号を情報表示装置１に出力したとする。情報表示装置１は、センサ５からの検知結果信号を受けて、点形状の検知ポインタＰＴ及び丸形状の不感領域ＡＲ２を、棒形状の検知ポインタＰＴ３及び矩形形状の不感領域ＡＲ３をディスプレイ１９に表示させ、更に、コンテンツ（例えばマップＭＰ）を詳細表示するための拡大ボタンＣＢ１とコンテンツ（例えばマップＭＰ）を広域表示するための縮小ボタンＣＢ２とをディスプレイ１９に表示させる。
【００８９】
ユーザが掌を不感領域ＡＲ３の初期範囲内において上方向に移動させると、情報表示装置１は、検知ポインタＰＴ３を拡大ボタンＣＢ１に近付けるように移動させ、更に、図１５の上側に示すマップＭＰを詳細表示させたマップＭＰＥを表示する（図１５の左下側参照）。
【００９０】
また、ユーザが掌を不感領域ＡＲ３の初期範囲内において下方向に移動させると、情報表示装置１は、検知ポインタＰＴ３を縮小ボタンＣＢ２に近付けるように移動させ、更に、図１５の上側に示すマップＭＰを広域表示させたマップＭＰＷを表示する（図１５の右下側参照）。
【００９１】
これにより、情報表示装置１は、ユーザの掌がセンサ５により検知された場合に、掌を不感領域ＡＲ３の範囲内において上下方向に移動させることで、コンテンツ（例えばマップＭＰ）を簡易に詳細表示又は広域表示することができる。
【００９２】
（本実施形態の変形例）
本実施形態では、不感領域の初期範囲の形状の一例として、矩形形状の不感領域ＡＲ，ＡＲ３と丸形状の不感領域ＡＲ２とを説明したが、これらの形状に限定されない。本実施形態の変形例（以下、「本変形例」という）では、図１６〜図３５を参照して、不感領域の初期範囲の形状のバリエーション、更に、検知ポインタの移動方向に合わせた不感領域の初期範囲の形状の変形の仕方のバリエーションについて説明する。なお、本変形例では、情報表示装置１の構成は上述した本実施形態と同一であるため、同一の内容の説明は簡略化又は省略し、異なる内容について説明する。
【００９３】
図１６（Ａ）〜（Ｄ）は、ディスプレイ１９に正八角形の形状の不感領域の一例（不感領域ＡＲ４）が表示された情報表示装置１の外観を示す六面図である。図１６（Ａ）は、情報表示装置１の正面図である。図１６（Ｂ）は、情報表示装置１の背面図である。図１６（Ｃ）は、情報表示装置１の左側面図である。図１６（Ｄ）は、情報表示装置１の上面（平面）図である。情報表示装置１の下面図は、図１６（Ｄ）に示す情報表示装置１の上面図を１８０度回転させた図であるため、図示を省略している。同様に、情報表示装置１の右側面図は、図１６（Ｃ）に示す情報表示装置１の左側面図を水平方向に１８０度回転させた図であるため、図示を省略している。
【００９４】
図１６（Ａ）に示す正面図では、情報表示装置１のディスプレイ１９（二重点線部参照）の表示画面ＤＳの中心位置に、点形状の検知ポインタＰＴ及び正八角形の形状の不感領域ＡＲ４が表示され、更に、コンテンツの選択画面としてコンテンツのサムネイルＣＴ１〜ＣＴ３が表示されている。なお、本変形例の説明では、コンテンツのサムネイルＣＴ１〜ＣＴ４の具体的な内容の図示は省略するが、例えば図４及び図５に具体的な内容は図示されている。
【００９５】
図１６（Ａ）〜（Ｄ）により示される情報表示装置１は、ディスプレイ１９の長手方向に所定の厚さ（図１６（Ｄ）参照）を有し、ディスプレイ１９の長手方向に直交する方向（短手方向）にも所定の厚さ（図１６（Ｃ）参照）を有する筐体を用いて構成されるマルチメディア表示機器である。
【００９６】
図１７（Ａ）〜（Ｄ）は、図１６（Ａ）に示す不感領域ＡＲ４が検知ポインタＰＴの右方向への移動によって開始した、不感領域ＡＲ４の右方向への形状変形の一例及びコンテンツの選択画面のスクロールの説明図である。図１７（Ａ）〜（Ｄ）では、説明を簡単にするために、検知ポインタＰＴの移動方向として右方向を示す場合を例示して説明するが、検知ポインタＰＴの移動方向が他の方向（例えば左方向、上方向、下方向）である場合にも同様に適用可能である。
【００９７】
図１７（Ａ）に示す表示画面ＤＳの中心位置には、点形状の検知ポインタＰＴ、及び頂点Ｔ１，Ｔ２，Ｔ３，Ｔ４，Ｔ５，Ｔ６，Ｔ７，Ｔ８を有する正八角形の形状の不感領域ＡＲ４が表示され、更に、コンテンツの選択画面としてコンテンツのサムネイルＣＴ１〜ＣＴ３が表示されている。不感領域ＡＲ４は正八角形であるため、各頂点Ｔ１〜Ｔ８の内角は１３５度となる。
【００９８】
ここで、例えばユーザが指ＦＧを右方向に動かした場合には、情報表示装置１は、検知ポインタＰＴを不感領域ＡＲ４の中心位置から右方向に移動させ、更に、検知ポインタＰＴに引っ張られるように、不感領域ＡＲ４の頂点Ｔ３及びＴ４の各内角のみ１３５度から増加して不感領域ＡＲ４の一部の形状（具体的には頂点Ｔ３と頂点Ｔ４との間の１辺のみ）を右方向に変形させる（図１７（Ｂ）参照）。この場合、情報表示装置１は、表示画面ＤＳ内に表示されているコンテンツのサムネイルＣＴ１〜ＣＴ３を、図１７（Ａ）に示す状態から右方向にスクロールする。
【００９９】
ユーザが指ＦＧを更に右方向に動かした場合には、情報表示装置１は、検知ポインタＰＴを右方向に移動させ、更に、検知ポインタＰＴに引っ張られるように、不感領域ＡＲ４の頂点Ｔ３及び頂点Ｔ４の各内角のみを図１７（Ｂ）に示す頂点Ｔ３及び頂点Ｔ４の各内角の値から更に増加して不感領域ＡＲ４の一部の形状（具体的には頂点Ｔ３と頂点Ｔ４との間の１辺のみ）を右方向に変形させる（図１７（Ｃ）参照）。この場合、情報表示装置１は、表示画面ＤＳ内に表示されているコンテンツのサムネイルＣＴ１〜ＣＴ３を、図１７（Ｂ）に示す状態から右方向に更にスクロールする。
【０１００】
なお、情報表示装置１は、不感領域ＡＲ４の形状を図１７（Ｂ）に示す形状から図１７（Ｄ）に示す形状に変形させても良い。即ち、情報表示装置１は、検知ポインタＰＴを右方向に移動させ、更に、検知ポインタＰＴに引っ張られるように、先ず不感領域ＡＲ４の頂点Ｔ３及び頂点Ｔ４の各内角を増加し、その後、頂点Ｔ２及び頂点Ｔ５の各内角を増加することで、不感領域ＡＲ４の一部の形状を右方向に変形させる（図１７（Ｄ）参照）。言い換えれば、情報表示装置１は、先ず、不感領域ＡＲ４の頂点Ｔ３と頂点Ｔ４との間の１辺を右方向に伸びるように変形し、その後、不感領域ＡＲ４の頂点Ｔ２と頂点Ｔ３との間の辺、及び不感領域ＡＲ４の頂点Ｔ５と頂点Ｔ４との間の辺を右方向に伸びる直線となるように変形させる。この場合、情報表示装置１は、表示画面ＤＳ内に表示されているコンテンツのサムネイルＣＴ１〜ＣＴ３を、図１７（Ｂ）に示す状態から右方向に更にスクロールする。
【０１０１】
図１８（Ａ）〜（Ｄ）は、ディスプレイ１９に正八角形の形状の不感領域の他の一例（不感領域ＡＲ５）が表示された情報表示装置１の外観を示す六面図である。図１８（Ａ）〜（Ｄ）に示す六面図では、図１６（Ａ）〜（Ｄ）に示す六面図と比べて、図１８（Ａ）に示す表示画面ＤＳに表示されている不感領域ＡＲ５のみ異なるだけであるため、不感領域ＡＲ５の形状については図１９（Ａ）を参照して説明することにし、図１８（Ａ）〜（Ｄ）に示す六面図の説明は割愛する。
【０１０２】
図１９（Ａ）〜（Ｄ）は、図１８（Ａ）に示す不感領域ＡＲ５が検知ポインタＰＴの右方向への移動によって開始した、不感領域ＡＲ５の右方向への形状変形の他の一例及びコンテンツの選択画面のスクロールの説明図である。図１９（Ａ）〜（Ｄ）では、説明を簡単にするために、検知ポインタＰＴの移動方向として右方向を示す場合を例示して説明するが、検知ポインタＰＴの移動方向が他の方向（例えば左方向、上方向、下方向）である場合にも同様に適用可能である。
【０１０３】
図１９（Ａ）に示す表示画面ＤＳの中心位置には、点形状の検知ポインタＰＴ、及び頂点Ｓ１，Ｓ２，Ｓ３，Ｓ４，Ｓ５，Ｓ６，Ｓ７，Ｓ８を有する正八角形の形状の不感領域ＡＲ５が表示され、更に、コンテンツの選択画面としてコンテンツのサムネイルＣＴ１〜ＣＴ３が表示されている。不感領域ＡＲ５は正八角形であるため、各頂点Ｔ１〜Ｔ８の内角は１３５度となる。
【０１０４】
ここで、例えばユーザが指ＦＧを右方向に動かした場合には、情報表示装置１は、検知ポインタＰＴを不感領域ＡＲ５の中心位置から右方向に移動させ、更に、不感領域ＡＲ５の頂点Ｓ３の内角のみ１３５度から減少することで、検知ポインタＰＴに引っ張られるように、不感領域ＡＲ５の頂点Ｓ１と頂点Ｓ３との間の辺、不感領域ＡＲ５の頂点Ｓ５と頂点Ｓ３との間の辺を右方向に伸びる直線となるように変形させる（図１９（Ｂ）参照）。この場合、情報表示装置１は、表示画面ＤＳ内に表示されているコンテンツのサムネイルＣＴ１〜ＣＴ３を、図１９（Ａ）に示す状態から右方向にスクロールする。
【０１０５】
ユーザが指ＦＧを更に右方向に動かした場合には、情報表示装置１は、検知ポインタＰＴを右方向に移動させ、更に、不感領域ＡＲ５の頂点Ｓ３の内角のみ図１９（Ｂ）に示す頂点Ｓ３の内角から更に減少することで、検知ポインタＰＴに引っ張られるように、不感領域ＡＲ５の頂点Ｓ２と頂点Ｓ３との間の辺、不感領域ＡＲ５の頂点Ｓ４と頂点Ｓ３との間の辺を右方向に更に伸びる直線となるように変形させる（図１９（Ｃ）参照）。この場合、情報表示装置１は、表示画面ＤＳ内に表示されているコンテンツのサムネイルＣＴ１〜ＣＴ３を、図１９（Ｂ）に示す状態から右方向に更にスクロールする。
【０１０６】
なお、情報表示装置１は、不感領域ＡＲ５の形状を図１９（Ｂ）に示す形状から図１９（Ｄ）に示す形状に変形させても良い。即ち、情報表示装置１は、検知ポインタＰＴを右方向に移動させ、更に、先ず不感領域ＡＲ５の頂点Ｓ３の内角のみ図１９（Ｂ）に示す頂点Ｓ３の内角から更に減少し、その後、不感領域ＡＲ５の頂点Ｓ２及び頂点Ｓ４の内角がほぼ１８０度になるように増加することで、検知ポインタＰＴに引っ張られるように、不感領域ＡＲ５の一部の形状（具体的には頂点Ｓ１と頂点Ｓ３との間の辺、頂点Ｓ５と頂点Ｓ３との間の辺）を右方向に伸びるように変形させる（図１９（Ｄ）参照）。この場合、情報表示装置１は、表示画面ＤＳ内に表示されているコンテンツのサムネイルＣＴ１〜ＣＴ３を、図１９（Ｂ）に示す状態から右方向に更にスクロールする。
【０１０７】
図２０（Ａ）〜（Ｄ）は、ディスプレイ１９に正十二角形の形状の不感領域の一例（不感領域ＡＲ６）が表示された情報表示装置１の外観を示す六面図である。図２０（Ａ）〜（Ｄ）に示す六面図では、図１６（Ａ）〜（Ｄ）に示す六面図と比べて、図２０（Ａ）に示す表示画面ＤＳに表示されている不感領域ＡＲ６のみ異なるだけであるため、不感領域ＡＲ６の形状については図２１（Ａ）を参照して説明することにし、図２０（Ａ）〜（Ｄ）に示す六面図の説明は割愛する。
【０１０８】
図２１（Ａ）〜（Ｅ）は、図２０（Ａ）に示す不感領域ＡＲ６が検知ポインタＰＴの右方向への移動によって開始した、不感領域ＡＲ６の右方向への形状変形の一例及びコンテンツの選択画面のスクロールの説明図である。図２１（Ａ）〜（Ｅ）では、説明を簡単にするために、検知ポインタＰＴの移動方向として右方向を示す場合を例示して説明するが、検知ポインタＰＴの移動方向が他の方向（例えば左方向、上方向、下方向）である場合にも同様に適用可能である。
【０１０９】
図２１（Ａ）に示す表示画面ＤＳの中心位置には、点形状の検知ポインタＰＴ、及び頂点Ｕ１，Ｕ２，Ｕ３，Ｕ４，Ｕ５，Ｕ６，Ｕ７，Ｕ８，Ｕ９，Ｕ１０，Ｕ１１，Ｕ１２を有する正十二角形の形状の不感領域ＡＲ６が表示され、更に、コンテンツの選択画面としてコンテンツのサムネイルＣＴ１〜ＣＴ３が表示されている。不感領域ＡＲ６は正十二角形であるため、各頂点Ｕ１〜Ｕ１２の内角は１５０度となる。
【０１１０】
ここで、例えばユーザが指ＦＧを右方向に動かした場合には、情報表示装置１は、検知ポインタＰＴを不感領域ＡＲ６の中心位置から右方向に移動させ、更に、検知ポインタＰＴに引っ張られるように、不感領域ＡＲ６の頂点Ｕ４及び頂点Ｕ５の各内角のみ１５０度から増加して不感領域ＡＲ６の一部の形状（具体的には頂点Ｕ４と頂点Ｕ５との間の１辺のみ）を右方向に変形させる（図２１（Ｂ）参照）。この場合、情報表示装置１は、表示画面ＤＳ内に表示されているコンテンツのサムネイルＣＴ１〜ＣＴ３を、図２１（Ａ）に示す状態から右方向にスクロールする。
【０１１１】
ユーザが指ＦＧを更に右方向に動かした場合には、情報表示装置１は、検知ポインタＰＴを右方向に移動させ、更に、検知ポインタＰＴに引っ張られるように、不感領域ＡＲ６の頂点Ｕ４及び頂点Ｕ５の各内角のみを図２１（Ｂ）に示す頂点Ｕ４及び頂点Ｕ５の各内角の値から更に増加することで、不感領域ＡＲ６の一部の形状（具体的には頂点Ｕ４と頂点Ｕ５との間の１辺のみ）を右方向に変形させる（図２１（Ｃ）参照）。この場合、情報表示装置１は、表示画面ＤＳ内に表示されているコンテンツのサムネイルＣＴ１〜ＣＴ３を、図２１（Ｂ）に示す状態から右方向に更にスクロールする。
【０１１２】
なお、情報表示装置１は、不感領域ＡＲ６の形状を図２１（Ａ）に示す形状から図２１（Ｄ）に示す形状に変形させても良い。即ち、情報表示装置１は、検知ポインタＰＴを右方向に移動させ、更に、検知ポインタＰＴに引っ張られるように、先ず不感領域ＡＲ６の頂点Ｕ４及び頂点Ｕ５の各内角を増加し、その後、不感領域ＡＲ６の頂点Ｕ３及び頂点Ｕ６の各内角を増加して不感領域ＡＲ６の一部の形状を右方向に変形させる（図２１（Ｄ）参照）。言い換えれば、情報表示装置１は、先ず、頂点Ｕ４と頂点Ｕ５との間の１辺を右方向に伸びるように変形し、その後、不感領域ＡＲ６の頂点Ｕ３と頂点Ｕ４との間の辺、及び不感領域ＡＲ６の頂点Ｕ６と頂点Ｕ５との間の辺を右方向に伸びるように変形させる。この場合、情報表示装置１は、表示画面ＤＳ内に表示されているコンテンツのサムネイルＣＴ１〜ＣＴ３を、図２１（Ａ）に示す状態から右方向に更にスクロールする。
【０１１３】
図２１（Ｄ）に示す不感領域ＡＲ６が表示されている状態において、ユーザが指ＦＧを更に右方向に動かした場合には、情報表示装置１は、検知ポインタＰＴを右方向に移動させ、更に、検知ポインタＰＴに引っ張られるように、先ず不感領域ＡＲ６の頂点Ｕ４及び頂点Ｕ５の各内角を増加し、その後、不感領域ＡＲ６の頂点Ｕ３及び頂点Ｕ６の各内角を増加することで、不感領域ＡＲ６の一部の形状を右方向に変形させる（図２１（Ｅ）参照）。言い換えれば、情報表示装置１は、先ず、不感領域ＡＲ６の頂点Ｕ４と頂点Ｕ５との間の１辺を右方向に伸びるように変形し、その後、不感領域ＡＲ６の頂点Ｕ３と頂点Ｕ４との間の辺、及び不感領域ＡＲ６の頂点Ｕ６と頂点Ｕ５との間の辺を右方向に伸びる直線となるように変形させる。この場合、情報表示装置１は、表示画面ＤＳ内に表示されているコンテンツのサムネイルＣＴ１〜ＣＴ３を、図２１（Ｄ）に示す状態から右方向に更にスクロールする。
【０１１４】
図２２（Ａ）〜（Ｄ）は、ディスプレイ１９に正十二角形の形状の不感領域の他の一例（不感領域ＡＲ７）が表示された情報表示装置１の外観を示す六面図である。図２２（Ａ）〜（Ｄ）に示す六面図では、図１６（Ａ）〜（Ｄ）に示す六面図と比べて、図２２（Ａ）に示す表示画面ＤＳに表示されている不感領域ＡＲ７のみ異なるだけであるため、不感領域ＡＲ７の形状については図２３（Ａ）を参照して説明することにし、図２２（Ａ）〜（Ｄ）に示す六面図の説明は割愛する。
【０１１５】
図２３（Ａ）〜（Ｅ）は、図２２（Ａ）に示す不感領域が検知ポインタの右方向への移動によって開始した、不感領域の右方向への形状変形の他の一例の一例及びコンテンツの選択画面のスクロールの説明図である。図２３（Ａ）〜（Ｄ）では、説明を簡単にするために、検知ポインタＰＴの移動方向として右方向を示す場合を例示して説明するが、検知ポインタＰＴの移動方向が他の方向（例えば左方向）である場合にも同様に適用可能である。
【０１１６】
図２３（Ａ）に示す表示画面ＤＳの中心位置には、点形状の検知ポインタＰＴ、及び頂点Ｖ１，Ｖ２，Ｖ３，Ｖ４，Ｖ５，Ｖ６，Ｖ７，Ｖ８、Ｖ９，Ｖ１０，Ｖ１１，Ｖ１２を有する正十二角形の形状の不感領域ＡＲ７が表示され、更に、コンテンツの選択画面としてコンテンツのサムネイルＣＴ１〜ＣＴ３が表示されている。不感領域ＡＲ７は正十二角形であるため、各頂点Ｖ１〜Ｖ１２の内角は１５０度となる。
【０１１７】
ここで、例えばユーザが指ＦＧを右方向に動かした場合には、情報表示装置１は、検知ポインタＰＴを不感領域ＡＲ７の中心位置から右方向に移動させ、更に、不感領域ＡＲ７の頂点Ｖ４の内角のみ１５０度から減少することで、検知ポインタＰＴに引っ張られるように、不感領域ＡＲ７の頂点Ｖ３と頂点Ｖ４との間の辺、不感領域ＡＲ７の頂点Ｖ５と頂点Ｖ４との間の辺を右方向に伸びる直線となるように変形させる（図２３（Ｂ）参照）。この場合、情報表示装置１は、表示画面ＤＳ内に表示されているコンテンツのサムネイルＣＴ１〜ＣＴ３を、図２３（Ａ）に示す状態から右方向にスクロールする。
【０１１８】
ユーザが指ＦＧを更に右方向に動かした場合には、情報表示装置１は、検知ポインタＰＴを右方向に移動させ、更に、不感領域ＡＲ７の頂点Ｖ４の内角のみ図２３（Ｂ）に示す頂点Ｖ４の内角から更に減少することで、検知ポインタＰＴに引っ張られるように、不感領域ＡＲ７の頂点Ｖ３と頂点Ｖ４との間の辺、不感領域ＡＲ７の頂点Ｖ５と頂点Ｖ４との間の辺を右方向に更に伸びる直線となるように変形させる（図２３（Ｃ）参照）。この場合、情報表示装置１は、表示画面ＤＳ内に表示されているコンテンツのサムネイルＣＴ１〜ＣＴ３を、図２３（Ｂ）に示す状態から右方向に更にスクロールする。
【０１１９】
なお、情報表示装置１は、不感領域ＡＲ７の形状を図２３（Ａ）に示す形状から図２３（Ｄ）に示す形状に変形させても良い。即ち、情報表示装置１は、検知ポインタＰＴを右方向に移動させ、更に、先ず不感領域ＡＲ７の頂点Ｖ４の内角のみ図２３（Ａ）に示す頂点Ｖ４の内角から更に減少し、その後、不感領域ＡＲ７の頂点Ｖ３及び頂点Ｖ５の各内角が１８０度になるように増加することで、検知ポインタＰＴに引っ張られるように、不感領域ＡＲ７の一部の形状（具体的には頂点Ｖ２と頂点Ｖ４との間の辺、頂点Ｖ６と頂点Ｖ４との間の辺）を右方向に変形させる（図２３（Ｄ）参照）。この場合、情報表示装置１は、表示画面ＤＳ内に表示されているコンテンツのサムネイルＣＴ１〜ＣＴ３を、図２３（Ａ）に示す状態から右方向に更にスクロールする。
【０１２０】
図２３（Ｄ）に示す不感領域ＡＲ７が表示されている状態において、ユーザが指ＦＧを更に右方向に動かした場合には、情報表示装置１は、検知ポインタＰＴを右方向に移動させ、更に、検知ポインタＰＴに引っ張られるように、更に、先ず不感領域ＡＲ７の頂点Ｖ４の内角のみ図２３（Ｄ）に示す頂点Ｖ４の内角から更に減少し、その後、不感領域ＡＲ７の頂点Ｖ２及び頂点Ｖ６の内角が１８０度になるように増加することで、検知ポインタＰＴに引っ張られるように、不感領域ＡＲ７の一部の形状（具体的には頂点Ｖ１と頂点Ｖ４との間の辺、頂点Ｖ７と頂点Ｖ４との間の辺）を右方向に変形させる（図２３（Ｅ）参照）。この場合、情報表示装置１は、表示画面ＤＳ内に表示されているコンテンツのサムネイルＣＴ１〜ＣＴ３を、図２３（Ｄ）に示す状態から右方向に更にスクロールする。
【０１２１】
図２４（Ａ）〜（Ｄ）は、図１６（Ａ）に示す不感領域ＡＲ４が検知ポインタＰＴの左方向への移動によって開始した、不感領域ＡＲ４の左方向への形状変形の一例及びコンテンツの選択画面のスクロールの説明図である。図２４（Ａ）と図１７（Ａ）とは同一であるため、説明を割愛する。
【０１２２】
ここで、例えばユーザが指ＦＧを左方向に動かした場合には、情報表示装置１は、検知ポインタＰＴを不感領域ＡＲ４の中心位置から左方向に移動させ、更に、検知ポインタＰＴに引っ張られるように、不感領域ＡＲ４の頂点Ｔ８及びＴ７の各内角のみ１３５度から増加して不感領域ＡＲ４の一部の形状（具体的には頂点Ｔ８と頂点Ｔ７との間の１辺のみ）を左方向に変形させる（図２４（Ｂ）参照）。この場合、情報表示装置１は、検知ポインタＰＴが不感領域ＡＲ４の左方向の第２境界線を超えて移動した場合には、表示画面ＤＳ内に表示されているコンテンツのサムネイルＣＴ１〜ＣＴ３を、図２４（Ａ）に示す状態から左方向にスクロールする。
【０１２３】
ユーザが指ＦＧを更に左方向に動かした場合には、情報表示装置１は、検知ポインタＰＴを左方向に移動させ、更に、検知ポインタＰＴに引っ張られるように、不感領域ＡＲ４の頂点Ｔ８及び頂点Ｔ７の各内角のみを図２４（Ｂ）に示す頂点Ｔ８及び頂点Ｔ７の各内角の値から更に増加して不感領域ＡＲ４の一部の形状（具体的には頂点Ｔ８と頂点Ｔ７との間の１辺のみ）を左方向に変形させる（図２４（Ｃ）参照）。この場合、情報表示装置１は、検知ポインタＰＴが不感領域ＡＲ４の左方向の第２境界線を超えて移動した場合には、表示画面ＤＳ内に表示されているコンテンツのサムネイルＣＴ１〜ＣＴ３を、図２４（Ｂ）に示す状態から左方向に更にスクロールする。
【０１２４】
なお、情報表示装置１は、不感領域ＡＲ４の形状を図２４（Ｂ）に示す形状から図２４（Ｄ）に示す形状に変形させても良い。即ち、情報表示装置１は、検知ポインタＰＴを左方向に移動させ、更に、検知ポインタＰＴに引っ張られるように、先ず不感領域ＡＲ４の頂点Ｔ８及び頂点Ｔ７の各内角を増加し、その後、頂点Ｔ１及び頂点Ｔ６の各内角を増加することで、不感領域ＡＲ４の一部の形状を左方向に変形させる（図２４（Ｄ）参照）。言い換えれば、情報表示装置１は、先ず、不感領域ＡＲ４の頂点Ｔ８と頂点Ｔ７との間の１辺を左方向に伸びるように変形し、その後、不感領域ＡＲ４の頂点Ｔ１と頂点Ｔ８との間の辺、及び不感領域ＡＲ４の頂点Ｔ７と頂点Ｔ６との間の辺を左方向に伸びる直線となるように変形させる。この場合、情報表示装置１は、検知ポインタＰＴが不感領域ＡＲ４の左方向の第２境界線を超えて移動した場合には、表示画面ＤＳ内に表示されているコンテンツのサムネイルＣＴ１〜ＣＴ３を、図２４（Ｂ）に示す状態から左方向に更にスクロールする。
【０１２５】
図２５（Ａ）〜（Ｄ）は、図１８（Ａ）に示す不感領域ＡＲ５が検知ポインタＰＴの左方向への移動によって開始した、不感領域ＡＲ５の左方向への形状変形の一例及びコンテンツの選択画面のスクロールの説明図である。図２５（Ａ）と図１９（Ａ）とは同一であるため、説明を割愛する。
【０１２６】
ここで、例えばユーザが指ＦＧを左方向に動かした場合には、情報表示装置１は、検知ポインタＰＴを不感領域ＡＲ５の中心位置から左方向に移動させ、更に、不感領域ＡＲ５の頂点Ｓ７の内角のみ１３５度から減少することで、検知ポインタＰＴに引っ張られるように、不感領域ＡＲ５の頂点Ｓ１と頂点Ｓ７との間の辺、不感領域ＡＲ５の頂点Ｓ７と頂点Ｓ５との間の辺を左方向に伸びる直線となるように変形させる（図２５（Ｂ）参照）。この場合、情報表示装置１は、検知ポインタＰＴが不感領域ＡＲ５の左方向の第２境界線を超えて移動した場合には、表示画面ＤＳ内に表示されているコンテンツのサムネイルＣＴ１〜ＣＴ３を、図２５（Ａ）に示す状態から左方向にスクロールする。
【０１２７】
ユーザが指ＦＧを更に左方向に動かした場合には、情報表示装置１は、検知ポインタＰＴを左方向に移動させ、更に、不感領域ＡＲ５の頂点Ｓ７の内角のみ図２５（Ｂ）に示す頂点Ｓ７の内角から更に減少することで、検知ポインタＰＴに引っ張られるように、不感領域ＡＲ５の頂点Ｓ７と頂点Ｓ８との間の辺、不感領域ＡＲ５の頂点Ｓ７と頂点Ｓ６との間の辺を左方向に更に伸びる直線となるように変形させる（図２５（Ｃ）参照）。この場合、情報表示装置１は、検知ポインタＰＴが不感領域ＡＲ５の左方向の第２境界線を超えて移動した場合には、表示画面ＤＳ内に表示されているコンテンツのサムネイルＣＴ１〜ＣＴ３を、図２５（Ｂ）に示す状態から左方向に更にスクロールする。
【０１２８】
なお、情報表示装置１は、不感領域ＡＲ５の形状を図２５（Ｂ）に示す形状から図２５（Ｄ）に示す形状に変形させても良い。即ち、情報表示装置１は、検知ポインタＰＴを左方向に移動させ、更に、先ず不感領域ＡＲ５の頂点Ｓ７の内角のみ図２５（Ｂ）に示す頂点Ｓ７の内角から更に減少し、その後、不感領域ＡＲ５の頂点Ｓ８及び頂点Ｓ６の内角がほぼ１８０度になるように増加することで、検知ポインタＰＴに引っ張られるように、不感領域ＡＲ５の一部の形状（具体的には頂点Ｓ７と頂点Ｓ１との間の辺、頂点Ｓ７と頂点Ｓ５との間の辺）を左方向に伸びるように変形させる（図２５（Ｄ）参照）。この場合、情報表示装置１は、検知ポインタＰＴが不感領域ＡＲ５の左方向の第２境界線を超えて移動した場合には、表示画面ＤＳ内に表示されているコンテンツのサムネイルＣＴ１〜ＣＴ３を、図２５（Ｂ）に示す状態から左方向に更にスクロールする。
【０１２９】
図２６（Ａ）〜（Ｄ）は、図１６（Ａ）に示す不感領域ＡＲ４が検知ポインタＰＴの上方向への移動によって開始した、不感領域ＡＲ４の上方向への形状変形の一例及びコンテンツの選択画面のスクロールの説明図である。図２６（Ａ）と図１７（Ａ）とは同一であるため、説明を割愛する。
【０１３０】
ここで、例えばユーザが指ＦＧを上方向に動かした場合には、情報表示装置１は、検知ポインタＰＴを不感領域ＡＲ４の中心位置から上方向に移動させ、更に、検知ポインタＰＴに引っ張られるように、不感領域ＡＲ４の頂点Ｔ１及びＴ２の各内角のみ１３５度から増加して不感領域ＡＲ４の一部の形状（具体的には頂点Ｔ１と頂点Ｔ２との間の１辺のみ）を上方向に変形させる（図２６（Ｂ）参照）。
【０１３１】
ユーザが指ＦＧを更に上方向に動かした場合には、情報表示装置１は、検知ポインタＰＴを上方向に移動させ、更に、検知ポインタＰＴに引っ張られるように、不感領域ＡＲ４の頂点Ｔ１及び頂点Ｔ２の各内角のみを図２６（Ｂ）に示す頂点Ｔ１及び頂点Ｔ２の各内角の値から更に増加して不感領域ＡＲ４の一部の形状（具体的には頂点Ｔ１と頂点Ｔ２との間の１辺のみ）を上方向に変形させる（図２６（Ｃ）参照）。
【０１３２】
なお、情報表示装置１は、不感領域ＡＲ４の形状を図２６（Ｂ）に示す形状から図２６（Ｄ）に示す形状に変形させても良い。即ち、情報表示装置１は、検知ポインタＰＴを上方向に移動させ、更に、検知ポインタＰＴに引っ張られるように、先ず不感領域ＡＲ４の頂点Ｔ１及び頂点Ｔ２の各内角を増加し、その後、頂点Ｔ８及び頂点Ｔ３の各内角を増加することで、不感領域ＡＲ４の一部の形状を上方向に変形させる（図２６（Ｄ）参照）。言い換えれば、情報表示装置１は、先ず、不感領域ＡＲ４の頂点Ｔ１と頂点Ｔ２との間の１辺を上方向に伸びるように変形し、その後、不感領域ＡＲ４の頂点Ｔ１と頂点Ｔ８との間の辺、及び不感領域ＡＲ４の頂点Ｔ２と頂点Ｔ３との間の辺を上方向に伸びる直線となるように変形させる。なお、図２６（Ｂ）〜（Ｄ）において、検知ポインタＰＴが不感領域ＡＲ４の上方向の第２境界線を超えて移動した場合には、情報表示装置１は、表示画面ＤＳ又は不感領域ＡＲ４の中心に表示されているコンテンツのサムネイルを選択して決定又は再生する。
【０１３３】
図２７（Ａ）〜（Ｄ）は、図１８（Ａ）に示す不感領域ＡＲ５が検知ポインタＰＴの上方向への移動によって開始した、不感領域ＡＲの上方向への形状変形の一例及びコンテンツの選択画面のスクロールの説明図である。図２７（Ａ）と図１９（Ａ）とは同一であるため、説明を割愛する。
【０１３４】
ここで、例えばユーザが指ＦＧを上方向に動かした場合には、情報表示装置１は、検知ポインタＰＴを不感領域ＡＲ５の中心位置から上方向に移動させ、更に、不感領域ＡＲ５の頂点Ｓ１の内角のみ１３５度から減少することで、検知ポインタＰＴに引っ張られるように、不感領域ＡＲ５の頂点Ｓ１と頂点Ｓ８との間の辺、不感領域ＡＲ５の頂点Ｓ１と頂点Ｓ２との間の辺を上方向に伸びる直線となるように変形させる（図２７（Ｂ）参照）。
【０１３５】
ユーザが指ＦＧを更に上方向に動かした場合には、情報表示装置１は、検知ポインタＰＴを上方向に移動させ、更に、不感領域ＡＲ５の頂点Ｓ１の内角のみ図２７（Ｂ）に示す頂点Ｓ１の内角から更に減少することで、検知ポインタＰＴに引っ張られるように、不感領域ＡＲ５の頂点Ｓ１と頂点Ｓ８との間の辺、不感領域ＡＲ５の頂点Ｓ１と頂点Ｓ２との間の辺を上方向に更に伸びる直線となるように変形させる（図２７（Ｃ）参照）。
【０１３６】
なお、情報表示装置１は、不感領域ＡＲ５の形状を図２７（Ｂ）に示す形状から図２７（Ｄ）に示す形状に変形させても良い。即ち、情報表示装置１は、検知ポインタＰＴを上方向に移動させ、更に、先ず不感領域ＡＲ５の頂点Ｓ１の内角のみ図２７（Ｂ）に示す頂点Ｓ１の内角から更に減少し、その後、不感領域ＡＲ５の頂点Ｓ８及び頂点Ｓ２の内角がほぼ１８０度になるように増加することで、検知ポインタＰＴに引っ張られるように、不感領域ＡＲ５の一部の形状（具体的には頂点Ｓ１と頂点Ｓ７との間の辺、頂点Ｓ１と頂点Ｓ３との間の辺）を上方向に伸びるように変形させる（図２７（Ｄ）参照）。なお、図２７（Ｂ）〜（Ｄ）において、検知ポインタＰＴが不感領域ＡＲ５の上方向の第２境界線を超えて移動した場合には、情報表示装置１は、表示画面ＤＳ又は不感領域ＡＲ５の中心に表示されているコンテンツのサムネイルを選択して決定又は再生する。
【０１３７】
図２８（Ａ）〜（Ｄ）は、図１６（Ａ）に示す不感領域ＡＲ４が検知ポインタＰＴの下方向への移動によって開始した、不感領域ＡＲ４の下方向への形状変形の一例及びコンテンツの選択画面のスクロールの説明図である。図２８（Ａ）と図１７（Ａ）とは同一であるため、説明を割愛する。
【０１３８】
ここで、例えばユーザが指ＦＧを下方向に動かした場合には、情報表示装置１は、検知ポインタＰＴを不感領域ＡＲ４の中心位置から下方向に移動させ、更に、検知ポインタＰＴに引っ張られるように、不感領域ＡＲ４の頂点Ｔ６及び頂点Ｔ５の各内角のみ１３５度から増加して不感領域ＡＲ４の一部の形状（具体的には頂点Ｔ６と頂点Ｔ５との間の１辺のみ）を下方向に変形させる（図２８（Ｂ）参照）。
【０１３９】
ユーザが指ＦＧを更に下方向に動かした場合には、情報表示装置１は、検知ポインタＰＴを下方向に移動させ、更に、検知ポインタＰＴに引っ張られるように、不感領域ＡＲ４の頂点Ｔ６及び頂点Ｔ５の各内角のみを図２８（Ｂ）に示す頂点Ｔ６及び頂点Ｔ５の各内角の値から更に増加して不感領域ＡＲ４の一部の形状（具体的には頂点Ｔ６と頂点Ｔ５との間の１辺のみ）を下方向に変形させる（図２８（Ｃ）参照）。
【０１４０】
なお、情報表示装置１は、不感領域ＡＲ４の形状を図２８（Ｂ）に示す形状から図２８（Ｄ）に示す形状に変形させても良い。即ち、情報表示装置１は、検知ポインタＰＴを下方向に移動させ、更に、検知ポインタＰＴに引っ張られるように、先ず不感領域ＡＲ４の頂点Ｔ６及び頂点Ｔ５の各内角を増加し、その後、頂点Ｔ７及び頂点Ｔ４の各内角を増加することで、不感領域ＡＲ４の一部の形状を下方向に変形させる（図２８（Ｄ）参照）。言い換えれば、情報表示装置１は、先ず、不感領域ＡＲ４の頂点Ｔ６と頂点Ｔ５との間の１辺を下方向に伸びるように変形し、その後、不感領域ＡＲ４の頂点Ｔ６と頂点Ｔ７との間の辺、及び不感領域ＡＲ４の頂点Ｔ５と頂点Ｔ４との間の辺を下方向に伸びる直線となるように変形させる。
【０１４１】
図２９（Ａ）〜（Ｄ）は、図１８（Ａ）に示す不感領域ＡＲ５が検知ポインタＰＴの下方向への移動によって開始した、不感領域ＡＲ５の下方向への形状変形の一例及びコンテンツの選択画面のスクロールの説明図である。図２９（Ａ）と図１９（Ａ）とは同一であるため、説明を割愛する。
【０１４２】
ここで、例えばユーザが指ＦＧを下方向に動かした場合には、情報表示装置１は、検知ポインタＰＴを不感領域ＡＲ５の中心位置から下方向に移動させ、更に、不感領域ＡＲ５の頂点Ｓ５の内角のみ１３５度から減少することで、検知ポインタＰＴに引っ張られるように、不感領域ＡＲ５の頂点Ｓ５と頂点Ｓ６との間の辺、不感領域ＡＲ５の頂点Ｓ５と頂点Ｓ４との間の辺を下方向に伸びる直線となるように変形させる（図２９（Ｂ）参照）。
【０１４３】
ユーザが指ＦＧを更に下方向に動かした場合には、情報表示装置１は、検知ポインタＰＴを下方向に移動させ、更に、不感領域ＡＲ５の頂点Ｓ５の内角のみ図２９（Ｂ）に示す頂点Ｓ５の内角から更に減少することで、検知ポインタＰＴに引っ張られるように、不感領域ＡＲ５の頂点Ｓ５と頂点Ｓ６との間の辺、不感領域ＡＲ５の頂点Ｓ５と頂点Ｓ４との間の辺を下方向に更に伸びる直線となるように変形させる（図２９（Ｃ）参照）。
【０１４４】
なお、情報表示装置１は、不感領域ＡＲ５の形状を図２９（Ｂ）に示す形状から図２９（Ｄ）に示す形状に変形させても良い。即ち、情報表示装置１は、検知ポインタＰＴを下方向に移動させ、更に、先ず不感領域ＡＲ５の頂点Ｓ５の内角のみ図２９（Ｂ）に示す頂点Ｓ５の内角から更に減少し、その後、不感領域ＡＲ５の頂点Ｓ６及び頂点Ｓ４の内角がほぼ１８０度になるように増加することで、検知ポインタＰＴに引っ張られるように、不感領域ＡＲ５の一部の形状（具体的には頂点Ｓ５と頂点Ｓ７との間の辺、頂点Ｓ５と頂点Ｓ３との間の辺）を下方向に伸びるように変形させる（図２９（Ｄ）参照）。
【０１４５】
図３０（Ａ）〜（Ｅ）は、図２０（Ａ）に示す不感領域ＡＲ６が検知ポインタＰＴの左方向への移動によって開始した、不感領域ＡＲ６の左方向への形状変形の一例及びコンテンツの選択画面のスクロールの説明図である。図３０（Ａ）と図２１（Ａ）とは同一であるため、説明を割愛する。
【０１４６】
ここで、例えばユーザが指ＦＧを左方向に動かした場合には、情報表示装置１は、検知ポインタＰＴを不感領域ＡＲ６の中心位置から左方向に移動させ、更に、検知ポインタＰＴに引っ張られるように、不感領域ＡＲ６の頂点Ｕ１１及び頂点Ｕ１０の各内角のみ１５０度から増加して不感領域ＡＲ６の一部の形状（具体的には頂点Ｕ１１と頂点Ｕ１０との間の１辺のみ）を左方向に変形させる（図３０（Ｂ）参照）。この場合、情報表示装置１は、表示画面ＤＳ内に表示されているコンテンツのサムネイルＣＴ１〜ＣＴ３を、図３０（Ａ）に示す状態から左方向にスクロールする。
【０１４７】
ユーザが指ＦＧを更に左方向に動かした場合には、情報表示装置１は、検知ポインタＰＴを左方向に移動させ、更に、検知ポインタＰＴに引っ張られるように、不感領域ＡＲ６の頂点Ｕ１１及び頂点Ｕ１０の各内角のみを図３０（Ｂ）に示す頂点Ｕ１１及び頂点Ｕ１０の各内角の値から更に増加することで、不感領域ＡＲ６の一部の形状（具体的には頂点Ｕ１１と頂点Ｕ１０との間の１辺のみ）を左方向に変形させる（図３０（Ｃ）参照）。この場合、情報表示装置１は、検知ポインタＰＴが不感領域ＡＲ６の左方向の第２境界線を超えて移動した場合には、表示画面ＤＳ内に表示されているコンテンツのサムネイルＣＴ１〜ＣＴ３を、図３０（Ｂ）に示す状態から左方向に更にスクロールする。
【０１４８】
なお、情報表示装置１は、不感領域ＡＲ６の形状を図３０（Ａ）に示す形状から図３０（Ｄ）に示す形状に変形させても良い。即ち、情報表示装置１は、検知ポインタＰＴを左方向に移動させ、更に、検知ポインタＰＴに引っ張られるように、先ず不感領域ＡＲ６の頂点Ｕ１１及び頂点Ｕ１０の各内角を増加し、その後、不感領域ＡＲ６の頂点Ｕ１２及び頂点Ｕ９の各内角を増加して不感領域ＡＲ６の一部の形状を左方向に変形させる（図３０（Ｄ）参照）。言い換えれば、情報表示装置１は、先ず、頂点Ｕ１１と頂点Ｕ１０との間の１辺を左方向に伸びるように変形し、その後、不感領域ＡＲ６の頂点Ｕ１２と頂点Ｕ１１との間の辺、及び不感領域ＡＲ６の頂点Ｕ１０と頂点Ｕ９との間の辺を左方向に伸びるように変形させる。この場合、情報表示装置１は、検知ポインタＰＴが不感領域ＡＲ６の左方向の第２境界線を超えて移動した場合には、表示画面ＤＳ内に表示されているコンテンツのサムネイルＣＴ１〜ＣＴ３を、図３０（Ａ）に示す状態から左方向に更にスクロールする。
【０１４９】
図３０（Ｄ）に示す不感領域ＡＲ６が表示されている状態において、ユーザが指ＦＧを更に左方向に動かした場合には、情報表示装置１は、検知ポインタＰＴを左方向に移動させ、更に、検知ポインタＰＴに引っ張られるように、先ず不感領域ＡＲ６の頂点Ｕ１１及び頂点Ｕ１０の各内角を増加し、その後、不感領域ＡＲ６の頂点Ｕ１２及び頂点Ｕ９の各内角を増加することで、不感領域ＡＲ６の一部の形状を左方向に変形させる（図３０（Ｅ）参照）。言い換えれば、情報表示装置１は、先ず、不感領域ＡＲ６の頂点Ｕ１１と頂点Ｕ１０との間の１辺を左方向に伸びるように変形し、その後、不感領域ＡＲ６の頂点Ｕ１２と頂点Ｕ１１との間の辺、及び不感領域ＡＲ６の頂点Ｕ９と頂点Ｕ８との間の辺を左方向に伸びる直線となるように変形させる。この場合、情報表示装置１は、検知ポインタＰＴが不感領域ＡＲ６の左方向の第２境界線を超えて移動した場合には、表示画面ＤＳ内に表示されているコンテンツのサムネイルＣＴ１〜ＣＴ３を、図３０（Ｄ）に示す状態から左方向に更にスクロールする。
【０１５０】
図３１（Ａ）〜（Ｅ）は、図２２（Ａ）に示す不感領域ＡＲ７が検知ポインタＰＴの左方向への移動によって開始した、不感領域ＡＲ７の左方向への形状変形の一例及びコンテンツの選択画面のスクロールの説明図である。図３１（Ａ）と図２３（Ａ）とは同一であるため、説明を割愛する。
【０１５１】
ここで、例えばユーザが指ＦＧを左方向に動かした場合には、情報表示装置１は、検知ポインタＰＴを不感領域ＡＲ７の中心位置から左方向に移動させ、更に、不感領域ＡＲ７の頂点Ｖ１０の内角のみ１５０度から減少することで、検知ポインタＰＴに引っ張られるように、不感領域ＡＲ７の頂点Ｖ１０と頂点Ｖ１１との間の辺、不感領域ＡＲ７の頂点Ｖ１０と頂点Ｖ９との間の辺を左方向に伸びる直線となるように変形させる（図３１（Ｂ）参照）。この場合、情報表示装置１は、検知ポインタＰＴが不感領域ＡＲ７の左方向の第２境界線を超えて移動した場合には、表示画面ＤＳ内に表示されているコンテンツのサムネイルＣＴ１〜ＣＴ３を、図３１（Ａ）に示す状態から左方向にスクロールする。
【０１５２】
ユーザが指ＦＧを更に左方向に動かした場合には、情報表示装置１は、検知ポインタＰＴを左方向に移動させ、更に、不感領域ＡＲ７の頂点Ｖ１０の内角のみ図３１（Ｂ）に示す頂点Ｖ１０の内角から更に減少することで、検知ポインタＰＴに引っ張られるように、不感領域ＡＲ７の頂点Ｖ１０と頂点Ｖ１１との間の辺、不感領域ＡＲ７の頂点Ｖ１０と頂点Ｖ９との間の辺を左方向に更に伸びる直線となるように変形させる（図３１（Ｃ）参照）。この場合、情報表示装置１は、検知ポインタＰＴが不感領域ＡＲ７の左方向の第２境界線を超えて移動した場合には、表示画面ＤＳ内に表示されているコンテンツのサムネイルＣＴ１〜ＣＴ３を、図３１（Ｂ）に示す状態から左方向に更にスクロールする。
【０１５３】
なお、情報表示装置１は、不感領域ＡＲ７の形状を図３１（Ａ）に示す形状から図３１（Ｄ）に示す形状に変形させても良い。即ち、情報表示装置１は、検知ポインタＰＴを左方向に移動させ、更に、先ず不感領域ＡＲ７の頂点Ｖ１０の内角のみ図３１（Ａ）に示す頂点Ｖ１０の内角から更に減少し、その後、不感領域ＡＲ７の頂点Ｖ１１及び頂点Ｖ９の各内角が１８０度になるように増加することで、検知ポインタＰＴに引っ張られるように、不感領域ＡＲ７の一部の形状（具体的には頂点Ｖ１０と頂点Ｖ１２との間の辺、頂点Ｖ１０と頂点Ｖ８との間の辺）を左方向に変形させる（図３１（Ｄ）参照）。この場合、情報表示装置１は、検知ポインタＰＴが不感領域ＡＲ７の左方向の第２境界線を超えて移動した場合には、表示画面ＤＳ内に表示されているコンテンツのサムネイルＣＴ１〜ＣＴ３を、図３１（Ａ）に示す状態から左方向に更にスクロールする。
【０１５４】
図３１（Ｄ）に示す不感領域ＡＲ７が表示されている状態において、ユーザが指ＦＧを更に左方向に動かした場合には、情報表示装置１は、検知ポインタＰＴを左方向に移動させ、更に、検知ポインタＰＴに引っ張られるように、先ず不感領域ＡＲ７の頂点Ｖ１０の内角のみ図３１（Ｄ）に示す頂点Ｖ１０の内角から更に減少し、その後、不感領域ＡＲ７の頂点Ｖ１２及び頂点Ｖ８の内角が１８０度になるように増加することで、検知ポインタＰＴに引っ張られるように、不感領域ＡＲ７の一部の形状（具体的には頂点Ｖ１０と頂点Ｖ１との間の辺、頂点Ｖ１０と頂点Ｖ７との間の辺）を左方向に変形させる（図３１（Ｅ）参照）。この場合、情報表示装置１は、検知ポインタＰＴが不感領域ＡＲ７の左方向の第２境界線を超えて移動した場合には、表示画面ＤＳ内に表示されているコンテンツのサムネイルＣＴ１〜ＣＴ３を、図３１（Ｄ）に示す状態から左方向に更にスクロールする。
【０１５５】
図３２（Ａ）〜（Ｅ）は、図２０（Ａ）に示す不感領域ＡＲ６が検知ポインタＰＴの上方向への移動によって開始した、不感領域ＡＲ６の上方向への形状変形の一例及びコンテンツの選択画面のスクロールの説明図である。図３２（Ａ）と図２１（Ａ）とは同一であるため、説明を割愛する。
【０１５６】
ここで、例えばユーザが指ＦＧを上方向に動かした場合には、情報表示装置１は、検知ポインタＰＴを不感領域ＡＲ６の中心位置から上方向に移動させ、更に、検知ポインタＰＴに引っ張られるように、不感領域ＡＲ６の頂点Ｕ１及び頂点Ｕ２の各内角のみ１５０度から増加して不感領域ＡＲ６の一部の形状（具体的には頂点Ｕ１と頂点Ｕ２との間の１辺のみ）を上方向に変形させる（図３２（Ｂ）参照）。
【０１５７】
ユーザが指ＦＧを更に上方向に動かした場合には、情報表示装置１は、検知ポインタＰＴを上方向に移動させ、更に、検知ポインタＰＴに引っ張られるように、不感領域ＡＲ６の頂点Ｕ１及び頂点Ｕ２の各内角のみを図３２（Ｂ）に示す頂点Ｕ１及び頂点Ｕ２の各内角の値から更に増加することで、不感領域ＡＲ６の一部の形状（具体的には頂点Ｕ１と頂点Ｕ２との間の１辺のみ）を上方向に変形させる（図３２（Ｃ）参照）。
【０１５８】
なお、情報表示装置１は、不感領域ＡＲ６の形状を図３２（Ａ）に示す形状から図３２（Ｄ）に示す形状に変形させても良い。即ち、情報表示装置１は、検知ポインタＰＴを上方向に移動させ、更に、検知ポインタＰＴに引っ張られるように、先ず不感領域ＡＲ６の頂点Ｕ１及び頂点Ｕ２の各内角を増加し、その後、不感領域ＡＲ６の頂点Ｕ１２及び頂点Ｕ３の各内角を増加して不感領域ＡＲ６の一部の形状を上方向に変形させる（図３２（Ｄ）参照）。言い換えれば、情報表示装置１は、先ず、頂点Ｕ１と頂点Ｕ２との間の１辺を上方向に伸びるように変形し、その後、不感領域ＡＲ６の頂点Ｕ１と頂点Ｕ１２との間の辺、及び不感領域ＡＲ６の頂点Ｕ２と頂点Ｕ３との間の辺を上方向に伸びるように変形させる。
【０１５９】
図３２（Ｄ）に示す不感領域ＡＲ６が表示されている状態において、ユーザが指ＦＧを更に上方向に動かした場合には、情報表示装置１は、検知ポインタＰＴを上方向に移動させ、更に、検知ポインタＰＴに引っ張られるように、先ず不感領域ＡＲ６の頂点Ｕ１２及び頂点Ｕ３の各内角を増加し、その後、不感領域ＡＲ６の頂点Ｕ１１及び頂点Ｕ４の各内角を増加することで、不感領域ＡＲ６の一部の形状を上方向に変形させる（図３２（Ｅ）参照）。言い換えれば、情報表示装置１は、先ず、不感領域ＡＲ６の頂点Ｕ１と頂点Ｕ２との間の１辺を上方向に伸びるように変形し、その後、不感領域ＡＲ６の頂点Ｕ１２と頂点Ｕ１１との間の辺、及び不感領域ＡＲ６の頂点Ｕ３と頂点Ｕ４との間の辺を上方向に伸びる直線となるように変形させる。なお、図３２（Ｂ）〜（Ｅ）において、検知ポインタＰＴが不感領域ＡＲ６の上方向の第２境界線を超えて移動した場合には、情報表示装置１は、表示画面ＤＳ又は不感領域ＡＲ５の中心に表示されているコンテンツのサムネイルを選択して決定又は再生する。
【０１６０】
図３３（Ａ）〜（Ｅ）は、図２２（Ａ）に示す不感領域ＡＲ７が検知ポインタＰＴの上方向への移動によって開始した、不感領域ＡＲ７の上方向への形状変形の一例及びコンテンツの選択画面のスクロールの説明図である。図３３（Ａ）と図２３（Ａ）とは同一であるため、説明を割愛する。
【０１６１】
ここで、例えばユーザが指ＦＧを上方向に動かした場合には、情報表示装置１は、検知ポインタＰＴを不感領域ＡＲ７の中心位置から上方向に移動させ、更に、不感領域ＡＲ７の頂点Ｖ１の内角のみ１５０度から減少することで、検知ポインタＰＴに引っ張られるように、不感領域ＡＲ７の頂点Ｖ１と頂点Ｖ１２との間の辺、不感領域ＡＲ７の頂点Ｖ１と頂点Ｖ２との間の辺を上方向に伸びる直線となるように変形させる（図３３（Ｂ）参照）。
【０１６２】
ユーザが指ＦＧを更に上方向に動かした場合には、情報表示装置１は、検知ポインタＰＴを上方向に移動させ、更に、不感領域ＡＲ７の頂点Ｖ１の内角のみ図３３（Ｂ）に示す頂点Ｖ１の内角から更に減少することで、検知ポインタＰＴに引っ張られるように、不感領域ＡＲ７の頂点Ｖ１と頂点Ｖ１２との間の辺、不感領域ＡＲ７の頂点Ｖ１と頂点Ｖ２との間の辺を上方向に更に伸びる直線となるように変形させる（図３３（Ｃ）参照）。
【０１６３】
なお、情報表示装置１は、不感領域ＡＲ７の形状を図３３（Ａ）に示す形状から図３３（Ｄ）に示す形状に変形させても良い。即ち、情報表示装置１は、検知ポインタＰＴを上方向に移動させ、更に、先ず不感領域ＡＲ７の頂点Ｖ１の内角のみ図３３（Ａ）に示す頂点Ｖ１の内角から更に減少し、その後、不感領域ＡＲ７の頂点Ｖ１２及び頂点Ｖ２の各内角が１８０度になるように増加することで、検知ポインタＰＴに引っ張られるように、不感領域ＡＲ７の一部の形状（具体的には頂点Ｖ１と頂点Ｖ１１との間の辺、頂点Ｖ１と頂点Ｖ３との間の辺）を上方向に変形させる（図３３（Ｄ）参照）。
【０１６４】
図３３（Ｄ）に示す不感領域ＡＲ７が表示されている状態において、ユーザが指ＦＧを更に上方向に動かした場合には、情報表示装置１は、検知ポインタＰＴを上方向に移動させ、更に、検知ポインタＰＴに引っ張られるように、更に、先ず不感領域ＡＲ７の頂点Ｖ１の内角のみ図３３（Ｄ）に示す頂点Ｖ１の内角から更に減少し、その後、不感領域ＡＲ７の頂点Ｖ１１及び頂点Ｖ３の内角が１８０度になるように増加することで、検知ポインタＰＴに引っ張られるように、不感領域ＡＲ７の一部の形状（具体的には頂点Ｖ１２と頂点Ｖ１０との間の辺、頂点Ｖ２と頂点Ｖ４との間の辺）を上方向に変形させる（図３３（Ｅ）参照）。なお、図３３（Ｂ）〜（Ｅ）において、検知ポインタＰＴが不感領域ＡＲ７の上方向の第２境界線を超えて移動した場合には、情報表示装置１は、表示画面ＤＳ又は不感領域ＡＲ７の中心に表示されているコンテンツのサムネイルを選択して決定又は再生する。
【０１６５】
図３４（Ａ）〜（Ｅ）は、図２０（Ａ）に示す不感領域ＡＲ６が検知ポインタＰＴの下方向への移動によって開始した、不感領域ＡＲ６の下方向への形状変形の一例及びコンテンツの選択画面のスクロールの説明図である。図３４（Ａ）と図２１（Ａ）とは同一であるため、説明を割愛する。
【０１６６】
ここで、例えばユーザが指ＦＧを下方向に動かした場合には、情報表示装置１は、検知ポインタＰＴを不感領域ＡＲ６の中心位置から下方向に移動させ、更に、検知ポインタＰＴに引っ張られるように、不感領域ＡＲ６の頂点Ｕ８及び頂点Ｕ７の各内角のみ１５０度から増加して不感領域ＡＲ６の一部の形状（具体的には頂点Ｕ８と頂点Ｕ７との間の１辺のみ）を下方向に変形させる（図３４（Ｂ）参照）。
【０１６７】
ユーザが指ＦＧを更に下方向に動かした場合には、情報表示装置１は、検知ポインタＰＴを下方向に移動させ、更に、検知ポインタＰＴに引っ張られるように、不感領域ＡＲ６の頂点Ｕ８及び頂点Ｕ７の各内角のみを図３４（Ｂ）に示す頂点Ｕ８及び頂点Ｕ７の各内角の値から更に増加することで、不感領域ＡＲ６の一部の形状（具体的には頂点Ｕ８と頂点Ｕ７との間の１辺のみ）を下方向に変形させる（図３４（Ｃ）参照）。
【０１６８】
なお、情報表示装置１は、不感領域ＡＲ６の形状を図３４（Ａ）に示す形状から図３４（Ｄ）に示す形状に変形させても良い。即ち、情報表示装置１は、検知ポインタＰＴを下方向に移動させ、更に、検知ポインタＰＴに引っ張られるように、先ず不感領域ＡＲ６の頂点Ｕ８及び頂点Ｕ７の各内角を増加し、その後、不感領域ＡＲ６の頂点Ｕ９及び頂点Ｕ６の各内角を増加して不感領域ＡＲ６の一部の形状を下方向に変形させる（図３４（Ｄ）参照）。言い換えれば、情報表示装置１は、先ず、頂点Ｕ８と頂点Ｕ７との間の１辺を下方向に伸びるように変形し、その後、不感領域ＡＲ６の頂点Ｕ８と頂点Ｕ９との間の辺、及び不感領域ＡＲ６の頂点Ｕ７と頂点Ｕ６との間の辺を下方向に伸びるように変形させる。
【０１６９】
図３４（Ｄ）に示す不感領域ＡＲ６が表示されている状態において、ユーザが指ＦＧを更に下方向に動かした場合には、情報表示装置１は、検知ポインタＰＴを下方向に移動させ、更に、検知ポインタＰＴに引っ張られるように、先ず不感領域ＡＲ６の頂点Ｕ８及び頂点Ｕ７の各内角を増加し、その後、不感領域ＡＲ６の頂点Ｕ９及び頂点Ｕ６の各内角を増加することで、不感領域ＡＲ６の一部の形状を下方向に変形させる（図３４（Ｅ）参照）。言い換えれば、情報表示装置１は、先ず、不感領域ＡＲ６の頂点Ｕ８と頂点Ｕ７との間の１辺を下方向に伸びるように変形し、その後、不感領域ＡＲ６の頂点Ｕ８と頂点Ｕ９との間の辺、及び不感領域ＡＲ６の頂点Ｕ７と頂点Ｕ６との間の辺を下方向に伸びる直線となるように変形させる。
【０１７０】
図３５（Ａ）〜（Ｅ）は、図２２（Ａ）に示す不感領域ＡＲ７が検知ポインタＰＴの下方向への移動によって開始した、不感領域ＡＲ７の下方向への形状変形の一例及びコンテンツの選択画面のスクロールの説明図である。図３５（Ａ）と図２３（Ａ）とは同一であるため、説明を割愛する。
【０１７１】
ここで、例えばユーザが指ＦＧを下方向に動かした場合には、情報表示装置１は、検知ポインタＰＴを不感領域ＡＲ７の中心位置から下方向に移動させ、更に、不感領域ＡＲ７の頂点Ｖ７の内角のみ１５０度から減少することで、検知ポインタＰＴに引っ張られるように、不感領域ＡＲ７の頂点Ｖ７と頂点Ｖ８との間の辺、不感領域ＡＲ７の頂点Ｖ７と頂点Ｖ６との間の辺を下方向に伸びる直線となるように変形させる（図３５（Ｂ）参照）。
【０１７２】
ユーザが指ＦＧを更に下方向に動かした場合には、情報表示装置１は、検知ポインタＰＴを下方向に移動させ、更に、不感領域ＡＲ７の頂点Ｖ７の内角のみ図３５（Ｂ）に示す頂点Ｖ７の内角から更に減少することで、検知ポインタＰＴに引っ張られるように、不感領域ＡＲ７の頂点Ｖ７と頂点Ｖ８との間の辺、不感領域ＡＲ７の頂点Ｖ７と頂点Ｖ６との間の辺を下方向に更に伸びる直線となるように変形させる（図３５（Ｃ）参照）。
【０１７３】
なお、情報表示装置１は、不感領域ＡＲ７の形状を図３５（Ａ）に示す形状から図３５（Ｄ）に示す形状に変形させても良い。即ち、情報表示装置１は、検知ポインタＰＴを下方向に移動させ、更に、先ず不感領域ＡＲ７の頂点Ｖ７の内角のみ図３５（Ａ）に示す頂点Ｖ７の内角から更に減少し、その後、不感領域ＡＲ７の頂点Ｖ８及び頂点Ｖ６の各内角が１８０度になるように増加することで、検知ポインタＰＴに引っ張られるように、不感領域ＡＲ７の一部の形状（具体的には頂点Ｖ７と頂点Ｖ８との間の辺、頂点Ｖ７と頂点Ｖ６との間の辺）を下方向に変形させる（図３５（Ｄ）参照）。
【０１７４】
図３５（Ｄ）に示す不感領域ＡＲ７が表示されている状態において、ユーザが指ＦＧを更に下方向に動かした場合には、情報表示装置１は、検知ポインタＰＴを下方向に移動させ、更に、検知ポインタＰＴに引っ張られるように、先ず不感領域ＡＲ７の頂点Ｖ７の内角のみ図３５（Ｄ）に示す頂点Ｖ７の内角から更に減少し、その後、不感領域ＡＲ７の頂点Ｖ９及び頂点Ｖ５の内角が１８０度になるように増加することで、検知ポインタＰＴに引っ張られるように、不感領域ＡＲ７の一部の形状（具体的には頂点Ｖ８と頂点Ｖ１０との間の辺、頂点Ｖ６と頂点Ｖ４との間の辺）を下方向に変形させる（図３５（Ｅ）参照）。
【０１７５】
以上により、本変形例の情報表示装置１は、上述した本実施形態と同様に、正八角形の形状の不感領域ＡＲ４，ＡＲ５又は正十二角形の形状の不感領域ＡＲ６，ＡＲ７を、ユーザの指ＦＧの移動方向（例えば右方向、左方向、上方向又は下方向）と同一方向に変形させることができ、更に、不感領域ＡＲ４〜ＡＲ７の形状の変形方向（例えば右方向又は左方向）と同一方向に、ディスプレイ１９に表示されている表示画面ＤＳ内のコンテンツの選択画面を簡易にスクロールすることができる。また、本変形例の情報表示装置１は、検知ポインタＰＴが正八角形の形状の不感領域ＡＲ４，ＡＲ５又は正十二角形の形状の不感領域ＡＲ６，ＡＲ７の第２境界線を超えて上方向に移動した場合には、ディスプレイ１９に表示されている表示画面ＤＳ又は各不感領域の中心に表示されているコンテンツのサムネイルを選択して決定又は再生することができる。
【０１７６】
以下、上述した本発明に係る情報表示装置及び情報表示方法の構成、作用及び効果を説明する。
【０１７７】
本発明の一実施形態は、コンテンツを表示する表示部と、所定の指示媒体を前記表示部に表示させる第１の表示制御部と、前記コンテンツに対する処理を開始又は終了させるための所定領域を前記表示部に表示させる第２の表示制御部と、前記所定領域に対する前記指示媒体の相対的な位置に応じて、前記コンテンツに対する処理の開始又は終了を制御する動作実行部と、を備え、前記第２の表示制御部は、前記指示媒体が前記所定領域を超えて表示された場合に、前記指示媒体が前記所定領域を超えた方向に前記所定領域の一部の形状を変形させるとともに、前記コンテンツに対する処理を前記動作実行部に開始させる情報表示装置である。
【０１７８】
上述した構成では、検知ポインタ表示制御部１１は、例えばセンサ５がユーザの指ＦＧを検知したことに応じて、指示媒体の一例としての検知ポインタＰＴをディスプレイ１９に表示させる。不感領域表示制御部１３は、例えばセンサ５がユーザの指ＦＧを検知したことに応じて、ディスプレイ１９に表示されたコンテンツの選択画面に対する処理を開始又は終了させるための所定領域の一例としての不感領域ＡＲをディスプレイ１９に表示させる。アプリケーション１７は、不感領域ＡＲに対する検知ポインタＰＴの相対的な位置に応じて、コンテンツに対する処理の開始又は終了を制御する。
【０１７９】
不感領域表示制御部１３は、検知ポインタＰＴが不感領域ＡＲの範囲外から範囲内にいったん入り、そのあと（最初から不感領域ＡＲの範囲内にいた時はその限りではない）、検知ポインタＰＴが不感領域ＡＲの初期範囲を超えて表示された（移動した）場合に、検知ポインタＰＴが不感領域ＡＲを超えた方向に不感領域ＡＲの一部の形状を変形させ、更に、ディスプレイ１９に表示されたコンテンツに対する処理をアプリケーション１７に開始させる。
【０１８０】
これにより、情報表示装置１は、検知ポインタＰＴが不感領域ＡＲの第１境界線を超えて移動した時点をコンテンツに対する処理の開始時点と正確に認識でき、更に、ディスプレイ１９に表示された不感領域ＡＲの一部の形状を検知ポインタＰＴの移動方向に沿って変形させることで、コンテンツに対する処理を終了させるために不感領域ＡＲの中心に指を動かせばよいという示唆をユーザに対して視覚的に強調することができる。従って、情報表示装置１は、コンテンツに対する処理を終了させるための示唆に従ってユーザが検知ポインタＰＴを不感領域ＡＲの初期範囲内に戻すように移動させた場合に、検知ポインタＰＴが不感領域ＡＲの初期範囲内に移動した時点をコンテンツに対する処理の終了時点として正確に認識できる。
【０１８１】
また、本発明の一実施形態は、前記指示媒体が前記所定領域内に戻って表示された場合、又は前記指示媒体が非表示された場合に、前記第２の表示制御部は、前記所定領域の形状を初期化する、情報表示装置である。
【０１８２】
上述した構成では、不感領域表示制御部１３は、検知ポインタＰＴが不感領域ＡＲの初期範囲内に戻ってきた場合、又は例えばセンサ５がユーザの指ＦＧを検知しなくなったことで検知ポインタＰＴが非表示された場合に、不感領域ＡＲの形状を初期化する。即ち、不感領域表示制御部１３は、検知ポインタＰＴが不感領域ＡＲの初期範囲内に戻ってきた場合、又は検知ポインタＰＴが非表示された場合に、コンテンツに対する処理の開始後に変形した不感領域ＡＲの一部の形状を、コンテンツに対する処理の開始前に表示されていた初期状態の不感領域ＡＲの形状に戻す。
【０１８３】
これにより、情報表示装置１は、検知ポインタＰＴが不感領域ＡＲの初期範囲内に戻ってきた場合、又は検知ポインタＰＴが非表示された場合には、不感領域ＡＲの形状を初期化することで、コンテンツに対する処理が無効になったこと又はコンテンツに対する処理が終了したことをユーザに対して視覚的に強調することができ、更に、コンテンツに対する処理の開始操作をユーザに再度実行させるには指を不感領域ＡＲの中心に動かしてから始める必要があることを示唆できる。
【０１８４】
また、本発明の一実施形態は、所定時間以上にわたって前記所定領域の一部の形状が変形した場合に、前記所定領域の一部の形状が変形した方向に、前記表示部に表示されたコンテンツのスクロールを開始させるスクロール制御部、を更に備える、情報表示装置である。
【０１８５】
上述した構成では、所定時間以上にわたって不感領域ＡＲの一部の形状が変形した場合には、スクロール制御部１５は、不感領域ＡＲの一部の形状が変形した方向に、ディスプレイ１９に表示されたコンテンツのスクロールを開始させる。
【０１８６】
これにより、情報表示装置１は、検知ポインタＰＴの移動によって不感領域ＡＲの一部の形状が所定時間以上にわたって変形した場合に、コンテンツのスクロールを開始できるので、ディスプレイ１９に表示されたコンテンツの自動スクロールを容易に開始できる。
【０１８７】
また、本発明の一実施形態は、前記指示媒体が前記所定領域内に戻って表示された場合、又は前記指示媒体が非表示された場合に、前記スクロール制御部は、前記スクロールを終了させ、前記第２の表示制御部は、前記所定領域の形状を初期化する、情報表示装置である。
【０１８８】
上述した構成では、検知ポインタＰＴが不感領域ＡＲの初期範囲内に戻ってきた場合、又は例えばセンサ５がユーザの指ＦＧを検知しなくなったことで検知ポインタＰＴが非表示された場合には、スクロール制御部１５はコンテンツのスクロールを終了させ、不感領域表示制御部１３は不感領域ＡＲの形状を初期化する。
【０１８９】
これにより、情報表示装置１は、検知ポインタＰＴが不感領域ＡＲの初期範囲内に戻ってきた場合、又はユーザの指ＦＧがセンサ５により検知されなくなって検知ポインタＰＴが非表示された場合には、コンテンツの自動スクロールを容易に終了でき、更に、不感領域ＡＲの形状を初期化することで、コンテンツの自動スクロールが終了したことをユーザに対して視覚的に示すことができる。
【０１９０】
また、本発明の一実施形態は、前記表示部は、コンテンツの選択画面を表示し、前記スクロール制御部は、前記スクロールの終了時における前記選択画面内のコンテンツの中心位置が前記所定領域の中心位置からスクロール方向に進んだ場合に、前記コンテンツの中心位置を前記所定領域の中心位置に一致させるように前記選択画面を前記スクロール方向の反対方向にスクロールさせる、情報表示装置である。
【０１９１】
上述した構成では、コンテンツの選択画面がディスプレイ１９に表示されている場合、スクロール制御部１５は、自動スクロールの終了時における特定のコンテンツの中心位置が不感領域ＡＲの中心位置からスクロール方向（例えば右方向）に少し進んだ場合でも、コンテンツの選択画面をスクロール方向の反対方向に少しスクロールさせることで、特定のコンテンツの中心位置を不感領域ＡＲの中心位置に一致して表示させる。
【０１９２】
これにより、情報表示装置１は、自動スクロールが終了した時に特定のコンテンツの中心位置が不感領域ＡＲの中心位置からスクロール方向に少し進んだ場合でも、自動スクロールの終了時に特定のコンテンツの位置（例えばコンテンツの座標）とスクロール方向（例えば右方向）とを基にして、その特定のコンテンツを正確に不感領域ＡＲの中心に表示させることができる。
【０１９３】
また、本発明の一実施形態は、前記表示部は、コンテンツの選択画面を表示し、前記スクロール制御部は、前記スクロールの終了時における前記選択画面内のコンテンツの中心位置が前記所定領域の中心位置より手前の位置である場合に、前記コンテンツの中心位置を前記所定領域の中心位置に一致させるように前記選択画面を前記スクロール方向にスクロールさせる、情報表示装置である。
【０１９４】
上述した構成では、コンテンツの選択画面がディスプレイ１９に表示されている場合、スクロール制御部１５は、自動スクロールの終了時における特定のコンテンツの中心位置が不感領域ＡＲの中心位置よりスクロール方向（例えば右方向）の反対方向に戻ったような少し手前の位置を指示した場合でも、コンテンツの選択画面をスクロール方向に少しスクロールさせることで、その特定のコンテンツの中心位置を不感領域ＡＲの中心位置に一致して表示させる。
【０１９５】
これにより、情報表示装置１は、自動スクロールが終了した時に特定のコンテンツの中心位置が不感領域ＡＲの中心位置からスクロール方向の反対方向に少し戻った位置である場合でも、自動スクロールの終了時に特定のコンテンツの位置（例えばコンテンツの座標）とスクロール方向（例えば右方向）とを基にして、その特定のコンテンツを正確に不感領域ＡＲの中心に表示させることができる。
【０１９６】
また、本発明の一実施形態は、前記指示媒体が前記所定領域を斜め方向に超えた場合に、前記第１の表示制御部は、前記指示媒体を前記表示部において非表示させ、前記第２の表示制御部は、前記所定領域の形状を初期化する、情報表示装置である。
【０１９７】
上述した構成では、検知ポインタＰＴが不感領域ＡＲを斜め方向に超えた場合には、検知ポインタ表示制御部１１は検知ポインタＰＴをディスプレイ１９において非表示させ、不感領域表示制御部１３は不感領域ＡＲの形状を初期化する。
【０１９８】
これにより、情報表示装置１は、例えばコンテンツの選択画面がディスプレイ１９に表示されている場合に、検知ポインタＰＴが不感領域ＡＲの初期範囲又は初期範囲から所定閾値ほど外側の範囲を斜め方向に超えると、コンテンツに対する処理を無効化でき、更に、不感領域ＡＲの形状を初期化することで、コンテンツに対する処理が無効になったのでコンテンツに対する処理の開始操作（不感領域ＡＲの中心に指を動かす）をユーザに再度実行させる必要があることを示唆できる。
【０１９９】
また、本発明の一実施形態は、前記スクロール制御部は、前記指示媒体とスクロール方向に対応した前記所定領域の端部との距離に応じて、前記スクロールのスクロール速度を調整する、情報表示装置である。
【０２００】
上述した構成では、スクロール制御部１５は、検知ポインタＰＴとスクロール方向（例えば右方向）に対応した不感領域ＡＲの第２境界線（例えば右端部）との距離に応じて、コンテンツのスクロールのスクロール速度を調整する。
【０２０１】
これにより、情報表示装置１は、例えば検知ポインタＰＴが不感領域ＡＲの第２境界線に近ければ近いほどスクロール速度を遅く調整でき、また、検知ポインタＰＴが不感領域ＡＲの第２境界線から離れていれば離れているほどスクロール速度を早く調整でき、ユーザの指ＦＧの動きに合わせてスクロール速度を微調整し易くでき、又はスクロール速度を効率的に加速させることができる。
【０２０２】
また、本発明の一実施形態は、前記動作実行部は、前記指示媒体が前記所定領域を下方向に超えて表示された場合に、前記指示媒体が指示するコンテンツに対する処理を実行しない、情報表示装置である。
【０２０３】
上述した構成では、アプリケーション１７は、検知ポインタＰＴが不感領域ＡＲを下方向に超えて表示された場合には、検知ポインタＰＴが指示するコンテンツに対する処理を実行しない。
【０２０４】
これにより、情報表示装置１は、ユーザが手を意図的に下方向に下げたことや、ユーザが誤って手を下方向に下げたことがセンサ５により検知された場合でも、検知ポインタが指示するコンテンツに対する処理を実行しないので、ユーザの誤操作を防止することができる。
【０２０５】
また、本発明の一実施形態は、前記動作実行部は、前記指示媒体が前記所定領域を上方向に超えて表示された場合に、前記指示媒体が指示するコンテンツを決定又は再生する、情報表示装置である。
【０２０６】
上述した構成では、アプリケーション１７は、検知ポインタＰＴが不感領域ＡＲを上方向に超えて表示された（移動した）場合には、検知ポインタＰＴが指示するコンテンツを決定又は再生する。
【０２０７】
これにより、情報表示装置１は、例えばコンテンツの選択画面がディスプレイ１９に表示されている場合に、ユーザの指ＦＧの移動によって検知ポインタＰＴが不感領域ＡＲの第１境界線又は第２境界線を上方向に超えて移動したことで、検知ポインタＰＴが指示するコンテンツを簡易に決定又は再生することができる。
【０２０８】
また、本発明の一実施形態は、前記コンテンツの再生中に前記指示媒体が前記所定領域を右方向又は左方向に超えて表示された場合に、前記動作実行部は、前記指示媒体と前記所定領域の右端部又は左端部との距離に応じて、コンテンツの再生速度を所定値未満となるように調整する、情報表示装置である。
【０２０９】
上述した構成では、コンテンツ（例えば動画）の再生中に検知ポインタＰＴが不感領域ＡＲの第２境界線の右端部を右方向に超えて移動した場合、又は不感領域ＡＲの第２境界線の左端部を左方向に超えて移動した場合には、アプリケーション１７は、検知ポインタＰＴと不感領域ＡＲの第２境界線の右端部又は左端部との距離に応じて、コンテンツの再生速度を、所定値を超えないように調整する。
【０２１０】
これにより、情報表示装置１は、コンテンツ（例えば動画）の再生中に、検知ポインタＰＴが不感領域ＡＲの第２境界線の右端部を右方向に超えて移動した場合、又は第２境界線の左端部を左方向に超えて移動した場合に、コンテンツの再生速度を簡易に調整できる。
【０２１１】
また、本発明の一実施形態は、前記コンテンツの再生中に前記指示媒体が前記所定領域を上方向に超えて表示された場合に、前記動作実行部は、前記コンテンツの再生を停止する、情報表示装置である。
【０２１２】
上述した構成では、コンテンツ（例えば動作）の再生中に検知ポインタＰＴが不感領域ＡＲの第２境界線を上方向に超えて移動した場合には、アプリケーション１７は、コンテンツの再生を停止する。
【０２１３】
これにより、情報表示装置１は、コンテンツ（例えば動画）の再生中に、検知ポインタＰＴが不感領域ＡＲの第２境界線を上方向に超えて移動した場合に、コンテンツの再生を簡易に停止できる。
【０２１４】
また、本発明の一実施形態は、コンテンツを表示する表示部を有する情報表示装置における情報表示方法であって、所定の指示媒体を前記表示部に表示させるステップと、前記コンテンツに対する処理を開始又は終了させるための所定領域を前記表示部に表示させるステップと、前記指示媒体が前記所定領域を超えて表示された場合に、前記指示媒体が前記所定領域を超えた方向に前記所定領域の一部の形状を変形させるステップと、前記所定領域の一部の形状の変形に応じて、前記コンテンツに対する処理を開始するステップと、を有する、情報表示方法である。
【０２１５】
上述した方法では、検知ポインタ表示制御部１１は、例えばセンサ５がユーザの指ＦＧを検知したことに応じて、指示媒体の一例としての検知ポインタＰＴをディスプレイ１９に表示させる。不感領域表示制御部１３は、例えばセンサ５がユーザの指ＦＧを検知したことに応じて、ディスプレイ１９に表示されたコンテンツの選択画面に対する処理を開始又は終了させるための所定領域の一例としての不感領域ＡＲをディスプレイ１９に表示させる。アプリケーション１７は、不感領域ＡＲに対する検知ポインタＰＴの相対的な位置に応じて、コンテンツに対する処理の開始又は終了を制御する。
【０２１６】
不感領域表示制御部１３は、検知ポインタＰＴが不感領域ＡＲの初期範囲を超えて表示された（移動した）場合に、検知ポインタＰＴが不感領域ＡＲを超えた方向に不感領域ＡＲの一部の形状を変形させ、更に、ディスプレイ１９に表示されたコンテンツに対する処理をアプリケーション１７に開始させる。
【０２１７】
これにより、情報表示装置１は、検知ポインタＰＴが不感領域ＡＲの第１境界線を超えて移動した時点をコンテンツに対する処理の開始時点と正確に認識でき、更に、ディスプレイ１９に表示された不感領域ＡＲの一部の形状を検知ポインタＰＴの移動方向に沿って変形させることで、コンテンツに対する処理を終了させるための示唆をユーザに対して視覚的に強調することができる。従って、情報表示装置１は、コンテンツに対する処理を終了させるための示唆に従ってユーザが検知ポインタＰＴを不感領域ＡＲの初期範囲内に戻すように移動させた場合に、検知ポインタＰＴが不感領域ＡＲの初期範囲内に移動した時点をコンテンツに対する処理の終了時点として正確に認識できる。
【０２１８】
以上、図面を参照しながら各種の実施形態について説明したが、本発明はかかる例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【０２１９】
なお、本出願は、２０１３年１１月１５日の日本特許出願（特願２０１３−２３７３９４）に基づくものであり、その内容は本出願の中において参照して援用される。
【産業上の利用可能性】
【０２２０】
本発明は、表示された所定範囲の形状の変形により、コンテンツに対する処理を終了させることの示唆をユーザに対して視覚的に強調し、コンテンツに対する処理の開始及び終了のタイミングを正確に認識する情報表示装置及び情報表示方法として有用である。
【符号の説明】
【０２２１】
１  情報表示装置
５  センサ
１１  検知ポインタ表示制御部
１３  不感領域表示制御部
１５  スクロール制御部
１７  アプリケーション
１９  ディスプレイ
１００  情報処理システム
ＡＲ  不感領域
ＣＢ  接続ケーブル
ＦＧ  指
ＰＴ  検知ポインタ
【図１】
2015072150.tif 000003
【図２】
2015072150.tif 000004
【図３】
2015072150.tif 000005
【図４】
2015072150.tif 000006
【図５】
2015072150.tif 000007
【図６】
2015072150.tif 000008
【図７】
2015072150.tif 000009
【図８】
2015072150.tif 000010
【図９】
2015072150.tif 000011
【図１０】
2015072150.tif 000012
【図１１】
2015072150.tif 000013
【図１２】
2015072150.tif 000014
【図１３】
2015072150.tif 000015
【図１４】
2015072150.tif 000016
【図１５】
2015072150.tif 000017
【図１６】
2015072150.tif 000018
【図１７】
2015072150.tif 000019
【図１８】
2015072150.tif 000020
【図１９】
2015072150.tif 000021
【図２０】
2015072150.tif 000022
【図２１】
2015072150.tif 000023
【図２２】
2015072150.tif 000024
【図２３】
2015072150.tif 000025
【図２４】
2015072150.tif 000026
【図２５】
2015072150.tif 000027
【図２６】
2015072150.tif 000028
【図２７】
2015072150.tif 000029
【図２８】
2015072150.tif 000030
【図２９】
2015072150.tif 000031
【図３０】
2015072150.tif 000032
【図３１】
2015072150.tif 000033
【図３２】
2015072150.tif 000034
【図３３】
2015072150.tif 000035
【図３４】
2015072150.tif 000036
【図３５】
2015072150.tif 000037
【国際調査報告】
2015072150.tif 000038
2015072150.tif 000039
2015072150.tif 000040
2015072150.tif 000041